(57)【要約】【課題】既存の端末とＣ／Ｕ分離機能を有する端末を収容でき、制御信号とユーザーデータとを独立してリソース割り当て等を処理できる。【解決手段】端末１２１は、Ｃ／Ｕ分離インジケーターを含むリソース割当要求を行う。リソース管理装置２０１は、Ｃ／Ｕ分離インジケーターにより端末１２１がＣ／Ｕ分離機能を有すると判断し、リソース集中管理装置は、適した無線アクセス方式の基地局のリソースを割り当てる。以降、制御信号は無線アクセス方式ａの基地局１０１で通信し、ユーザーデータは新たに割り当てられた無線アクセス方式ｂの基地局１０２で通信する。【選択図】        図１
2005210668.tif 000002
【特許請求の範囲】
【請求項１】
制御信号（Ｃ）と、ユーザーデータ（Ｕ）とを異なる無線アクセス方式を用いて通信できるＣ／Ｕ分離機能を有し、当該Ｃ／Ｕ分離機能を有する情報を記憶する記憶手段と、
前記記憶手段に記憶された前記Ｃ／Ｕ分離機能を有する情報をネットワークに対して送信する制御を行う制御手段と、
を備えることを特徴とする無線端末装置。
【請求項２】
前記制御信号の通信に用いる無線アクセス方式の優先順位の情報を記憶する優先順位記憶手段を備え、
前記制御手段は、前記優先順位記憶手段に記憶された前記制御信号の優先順位の情報に基づいて、前記ネットワークとの間の前記制御信号の通信を制御することを特徴とする請求項１に記載の無線端末装置。
【請求項３】
前記制御信号と、前記ユーザーデータの通信に用いるそれぞれの無線アクセス方式の優先順位の情報を記憶する優先順位記憶手段を備え、
前記制御手段は、前記優先順位記憶手段に記憶された前記制御信号の優先順位の情報と、前記ユーザーデータの優先順位の情報に基づいて、前記ネットワークとの間の前記制御信号の通信と、前記ユーザーデータの通信とを個別に制御することを特徴とする請求項１または２に記載の無線端末装置。
【請求項４】
制御信号（Ｃ）と、ユーザーデータ（Ｕ）とを異なる無線アクセス方式を用いて通信できるＣ／Ｕ分離機能を有し、制御信号の通信に所属する位置登録エリアをネットワーク側に登録要求する位置登録要求手段を備えたことを特徴とする無線端末装置。
【請求項５】
制御信号（Ｃ）と、ユーザーデータ（Ｕ）とを異なる無線アクセス方式を用いて通信できるＣ／Ｕ分離機能を有し、制御信号の通信に所属する位置登録エリアをネットワーク側に登録要求する位置登録要求手段を備えた無線端末と、
前記無線端末に対する着信時に、前記無線端末が所属している制御信号の位置登録エリアに対するページングを行い、前記ユーザーデータに使用する無線アクセス方式を、前記無線端末から送信されたページング応答および着信呼のＱｏＳ情報に基づいて選択して前記無線端末に通知する管理手段と、
を備えたことを特徴とする無線通信システム。
【請求項６】
収容した無線端末装置から、制御信号（Ｃ）と、ユーザーデータ（Ｕ）とを異なる無線アクセス方式を用いて通信できるＣ／Ｕ分離機能の情報を受信したときに、当該Ｃ／Ｕ分離機能の情報に基づき、前記無線端末装置との間において前記ユーザーデータを通信可能な無線アクセス方式のうち最適な無線アクセス方式を選択する管理手段を備えたことを特徴とする無線ネットワーク網。
【請求項７】
収容した無線端末装置から、ユーザーデータの伝送のためのリソース割当要求と、ハンドオーバー時のメジャーメント・レポートと、無線端末装置に対する着信時のページング応答とを受信するごとに、前記無線端末装置との間において前記ユーザーデータを通信可能な無線アクセス方式のうち最適な無線アクセス方式を選択する管理手段を備えたことを特徴とする無線ネットワーク網。
【請求項８】
複数の無線アクセス方式を用いて、収容した無線端末装置に対するリソースの割り当てを管理する無線リソース管理装置において、
前記無線端末装置から、制御信号（Ｃ）と、ユーザーデータ（Ｕ）とを異なる無線アクセス方式を用いて通信できるＣ／Ｕ分離機能の情報を受信したときに、前記無線端末装置のＣ／Ｕ分離機能を判断する判断手段と、
前記判断手段によって前記無線端末装置がＣ／Ｕ分離機能を有すると判断したとき、当該無線端末装置との間において前記ユーザーデータを通信可能な無線アクセス方式のうち最適な無線アクセス方式を選択する無線アクセス方式選択手段と、
前記無線アクセス方式選択手段によって選択された無線アクセス方式に該当し、前記無線端末装置との間の通信を行うための基地局のリソースを確保するリソース確保手段と、
を備えることを特徴とする無線リソース管理装置。
【請求項９】
制御信号（Ｃ）と、ユーザーデータ（Ｕ）とを異なる無線アクセス方式を用いて通信できるＣ／Ｕ分離機能を有し、当該Ｃ／Ｕ分離機能の情報をネットワークに対して送信可能な無線端末装置と、
前記無線端末装置との間で制御信号、あるいはユーザーデータによる無線通信を行う複数の基地局と、
前記複数の基地局に接続され、前記無線端末装置が送信する制御信号と、ユーザーデータとを異なる無線アクセス方式を用いて通信できるＣ／Ｕ分離機能の情報を受信し
たときに、当該Ｃ／Ｕ分離機能の情報に基づき、前記無線端末装置との間において前記ユーザーデータを通信可能な無線アクセス方式のうち最適な無線アクセス方式と、当該無線アクセス方式の基地局を選択するリソース管理装置と、
を備えることを特徴とする無線リソース管理システム。
【請求項１０】
無線端末装置から制御信号（Ｃ）と、ユーザーデータ（Ｕ）とを異なる無線アクセス方式を用いて通信できるＣ／Ｕ分離機能の情報をネットワークに対して送信するＣ／Ｕ分離機能情報送信工程と、
前記無線端末装置と前記ネットワークとの間で前記制御信号、あるいはユーザーデータによる無線通信を行う信号送受信工程と、
前記無線端末装置から送信された要求あるいは応答に前記制御信号と、ユーザーデータとを異なる無線アクセス方式を用いて通信できるＣ／Ｕ分離機能の情報を受信した前記ネットワークが、当該Ｃ／Ｕ分離機能の情報に基づき、前記無線端末装置との間において前記ユーザーデータを通信可能な無線アクセス方式のうち最適な無線アクセス方式を選択するリソース管理工程と、
を含むことを特徴とする無線リソース管理方法。
【発明の詳細な説明】
【技術分野】
【０００１】
この発明は、制御信号とユーザーデータを異なる無線アクセスにより接続でき、これら端末の移動時、ハンドオーバー時および端末への着信時にそれぞれリソースを適切に割り当てることができる無線端末装置、無線通信システム、無線ネットワーク網、無線リソース管理装置、無線リソース管理システムおよび無線リソース管理方法に関する。
【背景技術】
【０００２】
従来の単一モード（例えば、Ｗ−ＣＤＭＡ）またはデュアルモードの端末（例えば、ＧＳＭやＷ−ＣＤＭＡ）では、制御信号（Ｃ：Ｃｏｎｔｒｏｌ  Ｄａｔａ）と、ユーザーデータ（Ｕ：Ｕｓｅｒ  Ｄａｔａ）とが同一の無線アクセス方式を使用している。したがって、ネットワーク側におけるリソースの割り当てやハンドオーバーについても制御信号と、ユーザーデータとが同一の無線アクセス方式を用いることが前提となっている。
【０００３】
通信事業者が提供するサービスは、映画配信など従来の音声通話サービスとは異なったサービス品質を要求するものが増えている。従来のサービス提供を維持しながら、新規サービスを次々に提供するためには、従来のように一つの無線アクセス方式ですべてのサービスを提供することは伝送速度等の制限によって限界に近づきつつある。したがって、最適な環境でユーザーにサービスを提供するために、複数の無線アクセス方式（Ｗ−ＣＤＭＡとＷＬＡＮ、Ｂｌｕｅｔｏｏｔｈ等）をサポートできる端末と、サービスごとに最適な無線アクセス方式を割り当てるネットワークが必要になってくる。
【０００４】
なお、ユニバーサル移動電話システム（ＵＭＴＳ）のネットワークにおいて、端末の制御信号と、ユーザーデータとにそれぞれ適する無線アクセス方式を割り当てる手法が開示されている（例えば、下記特許文献１参照。）。
【０００５】
【特許文献１】特表２００２−５１１６７２号公報
【発明の開示】
【発明が解決しようとする課題】
【０００６】
しかしながら、上記特許文献１に開示された技術は、ネットワークが収容する端末のすべてがＣ／Ｕ分離機能を有する端末として扱っており、能力の異なる端末を収容することは想定していない。現在、ネットワークでは様々な能力をもつ端末を収容しており、従来のＣ／Ｕ分離機能をもたない単一モード端末やＣ／Ｕ分離機能をもたない複数モード端末も含まれている。これに加えて、今後増えると予想されるＣ／Ｕ分離機能を有する端末も収容しなければならない。
【０００７】
したがって、ネットワークは如何にして能力の異なる端末を収容するか、従来の単一型の無線アクセス方式のリソース管理装置をどう扱うかを考慮しなければならない。例えば、特許文献１に記載された技術により、ネットワークがこれらすべての端末に対して処理を行おうとした場合、従来のＣ／Ｕ分離機能をもたない端末に対する処理が複雑になり、処理時間が増えることが予想される。同時に、従来のネットワーク側のリソース管理装置では無線アクセス方式依存であるため、単一またはデュアル（例えばＧＳＭやＷ−ＣＤＭＡ）の無線アクセス方式しか対応できない。これにより、他の無線アクセス方式のリソース利用状況や、ユーザーデータに合ったリソースの割り当てが行えず、Ｃ／Ｕ分離機能を有する端末には対応できないことになる。
【０００８】
なお、ネットワーク側に配置されるリソース管理装置をすべての無線アクセス方式に対応するように交換するには、大幅な機能変更やインターフェースの追加が必要となり、現実的ではない。今後、これら制御信号とユーザーデータをＣ／Ｕ分離機能を有する端末に対して、ネットワーク側では従来の端末と区別しながら、Ｃ／Ｕ分離機能を有する端末に対し、Ｃ／Ｕ分離に適したリソースの割り当てや、ハンドオーバーおよび端末に対する着信を円滑に行えるシステムの提供が要望される。
【０００９】
ところで、端末が制御信号と、ユーザーデータとを互いに独立し、異なる無線アクセス方式を用いて通信を行ったときには、この端末は、制御信号と、ユーザーデータとで、それぞれ異なる位置登録エリアに属することになる。この場合、上記従来のＵＭＴＳの位置登録、ページング手法では対応できなくなるという問題が生じる。
【００１０】
さらに、移動通信インフラとして、ユーザーデータ伝送の基地局のみ所有してサービスを提供する移動通信業者が近い将来実現すると思われる。ユーザーデータ伝送の基地局では、高速な伝送レートの無線アクセス方式を用いると想定されるが、これらの無線アクセス方式はカバーエリアが狭く、ホットスポット的に存在し、連続した電波のカバーエリアをもたない。このような無線アクセス方式を制御信号に使用すると、端末が頻繁に圏外になったり、ハンドオーバーが起こったりするため、このような無線アクセス方式は、制御信号の使用には適さない。また、ユーザーデータ伝送の基地局が制御信号も扱うために、基地局自身の小型化、低コスト化が難しくなる。これらの基地局がユーザーデータのみ扱うことが実現できれば、端末の制御信号の処理が不要になり、基地局の低コスト化、普及することが可能になる。したがって、ユーザーデータ伝送用の基地局は、いかにして制御信号を扱わずに済むかを検討しなければならない。
【００１１】
この発明は、上述した従来技術による問題点を解消するため、既存のＣ／Ｕ分離機能をもたない端末に加えて、新たにＣ／Ｕ分離機能を有する端末を収容でき、これら制御信号とユーザーデータとを独立してリソース割り当て、ハンドオーバーおよび端末への着信を処理できる無線端末装置、無線通信システム、無線ネットワーク網、無線リソース管理装置、無線リソース管理システムおよび無線リソース管理方法を提供することを目的とする。また、この発明は、ネットワーク側が端末のＣ／Ｕ分離能力を把握して、このＣ／Ｕ分離能力のある端末の制御信号の選択、位置登録、ページング時に、ユーザーデータ専用の基地局が制御信号を扱わずに済むことができる無線端末装置、無線通信システム、無線ネットワーク網、無線リソース管理装置、無線リソース管理システムおよび無線リソース管理方法を提供することを目的とする。
【課題を解決するための手段】
【００１２】
上述した課題を解決し、目的を達成するため、この発明の無線端末装置は、制御信号（Ｃ）と、ユーザーデータ（Ｕ）とを異なる無線アクセス方式を用いて通信できるＣ／Ｕ分離機能を有し、当該Ｃ／Ｕ分離機能を有する情報を記憶する記憶手段と、前記記憶手段に記憶された前記Ｃ／Ｕ分離機能を有する情報をネットワークに対して送信する制御を行う制御手段と、を備えることを特徴とする。
【００１３】
この発明の無線端末装置によれば、無線端末装置ごとにＣ／Ｕ分離機能の有無をネットワークに対して送信することができ、ネットワークは、Ｃ／Ｕ分離機能を有する無線端末装置およびＣ／Ｕ分離機能をもたない無線端末装置を容易に判断することができ、制御信号とユーザーデータとが同一の無線アクセス方式の無線端末装置と、Ｃ／Ｕ分離機能を有する無線端末装置とを同一のネットワーク内に収容することができる。
【００１４】
また、この発明にかかる無線通信システムは、制御信号（Ｃ）と、ユーザーデータ（Ｕ）とを異なる無線アクセス方式を用いて通信できるＣ／Ｕ分離機能を有し、制御信号の通信に所属する位置登録エリアをネットワーク側に登録要求する位置登録要求手段を備えた無線端末と、前記無線端末に対する着信時に、前記無線端末が所属している制御信号の位置登録エリアに対するページングを行い、前記ユーザーデータの通信に使用する無線アクセス方式を、前記無線端末から送信されたページング応答および着信呼のＱｏＳ情報に基づいて選択して前記無線端末に通知する管理手段と、を備えたことを特徴とする。
【００１５】
この発明の無線通信システムによれば、端末に対する着信時に、ユーザーデータの通信に使用する無線アクセス方式を、無線端末から送信されたページング応答および着信呼のＱｏＳ情報に基づいて選択して無線端末にすることができるようになる。
【００１６】
また、この発明にかかる無線ネットワーク網は、収容した無線端末装置から、制御信号（Ｃ）と、ユーザーデータ（Ｕ）とを異なる無線アクセス方式を用いて通信できるＣ／Ｕ分離機能の情報を受信したときに、当該Ｃ／Ｕ分離機能の情報に基づき、前記無線端末装置との間において前記ユーザーデータを通信可能な無線アクセス方式のうち最適な無線アクセス方式を選択する管理手段を備えたことを特徴とする。
【００１７】
この発明の無線ネットワーク網によれば、無線ネットワーク網は、無線端末装置から受信したＣ／Ｕ分離機能の情報に基づいて前記無線端末装置との間において前記ユーザーデータを通信可能な無線アクセス方式のうち最適な無線アクセス方式を選択できるため、制御信号とユーザーデータとを異なる無線アクセス方式で通信できるようになり、ユーザーデータの通信に適した伝送速度を有する無線アクセス方式による通信を行えるようになる。
【００１８】
また、この発明にかかる無線リソース管理装置は、複数の無線アクセス方式を用いて、収容した無線端末装置に対するリソースの割り当てを管理する無線リソース管理装置において、前記無線端末装置から、制御信号（Ｃ）と、ユーザーデータ（Ｕ）とを異なる無線アクセス方式を用いて通信できるＣ／Ｕ分離機能の情報を受信したときに、前記無線端末装置のＣ／Ｕ分離機能を判断する判断手段と、前記判断手段によって前記無線端末装置がＣ／Ｕ分離機能を有すると判断したとき、当該無線端末装置との間において前記ユーザーデータを通信可能な無線アクセス方式のうち最適な無線アクセス方式を選択する無線アクセス方式選択手段と、前記無線アクセス方式選択手段によって選択された無線アクセス方式に該当し、前記無線端末装置との間の通信を行うための基地局のリソースを確保するリソース確保手段と、を備えることを特徴とする。
【００１９】
この発明の無線リソース管理装置によれば、無線端末装置から送信されたＣ／Ｕ分離機能の情報により、無線端末装置との通信に最適な基地局のリソースを割り当てることができ、基地局のセル内で無線アクセス方式を選択でき、無線端末装置との間で常に最適な無線アクセス方式を用いた無線通信を行えるようになる。
【００２０】
また、この発明にかかる無線リソース管理システムは、制御信号（Ｃ）と、ユーザーデータ（Ｕ）とを異なる無線アクセス方式を用いて通信できるＣ／Ｕ分離機能を有し、当該Ｃ／Ｕ分離機能の情報をネットワークに対して送信可能な無線端末装置と、前記無線端末装置との間で制御信号、あるいはユーザーデータによる無線通信を行う複数の基地局と、前記複数の基地局に接続され、前記無線端末装置が送信する制御信号と、ユーザーデータとを異なる無線アクセス方式を用いて通信できるＣ／Ｕ分離機能の情報を受信したときに、当該Ｃ／Ｕ分離機能の情報に基づき、前記無線端末装置との間において前記ユーザーデータを通信可能な無線アクセス方式のうち最適な無線アクセス方式と、当該無線アクセス方式の基地局を選択するリソース管理装置と、を備えることを特徴とする。
【００２１】
この発明の無線リソース管理システムによれば、無線端末装置から送信されたＣ／Ｕ分離機能の情報により、複数の基地局のうち無線端末装置との通信に最適な無線アクセス方式による基地局のリソースを割り当てることができ、複数の基地局のセル内において制御信号とユーザーデータとを異なる無線アクセス方式により異なる基地局を介して接続でき、ユーザーデータの通信に最適な無線アクセス方式を用いた無線通信を行えるようになる。
【００２２】
また、この発明にかかる無線リソース管理方法は、無線端末装置から制御信号（Ｃ）と、ユーザーデータ（Ｕ）とを異なる無線アクセス方式を用いて通信できるＣ／Ｕ分離機能の情報をネットワークに対して送信するＣ／Ｕ分離機能情報送信工程と、前記無線端末装置と前記ネットワークとの間で前記制御信号、あるいはユーザーデータによる無線通信を行う信号送受信工程と、前記無線端末装置から送信された要求あるいは応答に前記制御信号と、ユーザーデータとを異なる無線アクセス方式を用いて通信できるＣ／Ｕ分離機能の情報を受信した前記ネットワークが、当該Ｃ／Ｕ分離機能の情報に基づき、前記無線端末装置との間において前記ユーザーデータを通信可能な無線アクセス方式のうち最適な無線アクセス方式を選択するリソース管理工程と、を含むことを特徴とする。
【００２３】
この発明の無線リソース管理方法によれば、無線端末装置から送信されたＣ／Ｕ分離機能の情報により、無線端末装置に最適な無線アクセス方式を選択でき、制御信号とユーザーデータとを異なる無線アクセス方式により通信接続することができ、ユーザーデータの通信に最適な無線アクセス方式を用いた無線通信を行えるようになる。
【発明の効果】
【００２４】
この発明によれば、複数の無線アクセス方式を同時に用いて通信可能なＣ／Ｕ分離機能を有する端末を用いて、制御信号とユーザーデータとを独立してリソース割り当てやハンドオーバーを行うことができ、制御信号と、ユーザーデータにそれぞれ最も適する無線アクセス方式を用いることができるという効果を奏する。これにより、無線リソースの提供者側では、リソースの有効利用が行える一方、無線端末装置の利用者側でも、既存の端末に加えてＣ／Ｕ分離機能を有する端末を用いてユーザーデータを高速伝送できる等、サービスの利便性を向上できるという効果を奏する。
【００２５】
また、Ｃ／Ｕ分離機能を有する端末と、ユーザーデータのみを扱う基地局との間の通信が行えるようになり、ネットワークを運用する側の通信業者は、ユーザーデータのみ適するアクセス方式を低コストな基地局で実現できるという効果を奏する。
【発明を実施するための最良の形態】
【００２６】
以下に添付図面を参照して、この発明にかかる無線端末装置、無線通信システム、無線ネットワーク網、無線リソース管理装置、無線リソース管理システムおよび無線リソース管理方法の好適な実施の形態を詳細に説明する。
【００２７】
（実施の形態１）
はじめに、この発明に実施の形態１について説明する。実施の形態１は、制御信号と、ユーザーデータとを分離可能な端末を用い、この端末が制御信号と、ユーザーデータとを異なる無線アクセス方式の基地局にアクセスすることができる無線端末装置、無線通信システム、無線ネットワーク網、無線リソース管理装置、無線リソース管理システムおよび無線リソース管理方法に関するものである。
【００２８】
（無線アクセス管理のシステム構成）
図１は、この発明の実施の形態１による無線アクセス管理システムを示す概要図である。複数の基地局を中心として複数の無線アクセス方式（以下、アクセス方式と称する）によるエリアが設けられている。アクセス方式ａ（例えばＷ−ＣＤＭＡ）による基地局１０１のセル１１１は、エリア範囲が広い。この広いセル１１１内には、異なるアクセス方式ｂ，ｃ（例えばＷ−ＬＡＮ、Ｂｌｕｅｔｏｏｔｈ）による基地局１０２，１０３が設けられ、それぞれのセル１１２，１１３は、エリア範囲が狭い。また、アクセス方式ｄ（例えばＧＳＭ）による基地局１０４のセル１１４は、エリア範囲が広く、セル１１１に一部が重なっている。このように、アクセス方式ａ，ｄのセル１１１，１１４は、エリア範囲が広く制御信号の伝送に適している。アクセス方式ｂ，ｃのセル１１２，１１３は、伝送レート（伝送速度）が高くユーザーデータの伝送に適している。
【００２９】
ここで、携帯電話の移動機等である無線端末Ａ（１２１）は、アクセス方式ａ，ｂ，ｃによる通信が可能である。以下、無線端末を端末と称す。この端末１２１は、制御信号（コントロールデータ）Ｃと、ユーザーデータＵを分離するＣ／Ｕ分離機能を有している。端末Ｂ（１２２）は、アクセス方式ａによる通信が可能である。この端末１２２は、従来の単一モード（Ｗ−ＣＤＭＡ）による通信が可能であり、Ｃ／Ｕ分離機能をもたない。端末Ｃ（１２３）は、アクセス方式ａ，ｄによる通信が可能である。この端末１２３は、従来のデュアルモード（Ｗ−ＣＤＭＡ／ＧＳＭ）による通信が可能であり、Ｃ／Ｕ分離機能をもたない。
【００３０】
（ネットワーク側のシステム構成）
図２は、実施の形態１による無線アクセス管理システムにおけるネットワーク側のシステムを示すブロック図である。図２には、便宜上、上述したアクセス方式ａ〜ｄのうち、３つのアクセス方式ａ，ｂ，ｃに対応したネットワーク（網）側の構成についてのみ記載してある。ネットワーク側には、それぞれのアクセス方式ａ，ｂ，ｃに依存したリソース管理装置２０１，２０２，２０３が設けられている。これらリソース管理装置２０１，２０２，２０３は、接続された基地局１０１，１０２，１０３を介して端末１２１，１２２，１２３との間の無線データ通信に関するリソースをそれぞれ管理するものであり、各リソース管理装置２０１，２０２，２０３同士で互いに直接なインターフェースをもたない。このため、他のアクセス方式のセルのリソース利用状況を知ることや、リソースの割り当てを行うことはできない。
【００３１】
これらのリソース管理装置２０１，２０２，２０３は、リソース集中管理装置２１０に接続されている。リソース集中管理装置２１０は、配下にある複数のリソース管理装置２０１，２０２，２０３からそれぞれリソース利用状況を収集し、管理する。このリソース集中管理装置２１０は、図示のように単一台で構成するに限らず、複数のアクセス方式単位や、所定台数のリソース管理装置ごとに１台のリソース集中管理装置２１０を設けてもよく、この場合、複数台のリソース集中管理装置２１０は分散してリソースを集中管理する。また、複数台設けられた既存のリソース管理装置２０１，２０２，２０３のうち１台のリソース管理装置２０１内にリソース集中管理装置２１０の機能を設けることもできる。なお、不図示であるが、ネットワーク側には端末１２１，１２２，１２３の位置を管理する位置登録管理装置や、端末１２１，１２２，１２３との間でユーザーデータを送受信するためのＩＰルーターが設けられている。ＩＰルーターは、各基地局１０１，１０２，１０３に接続される。
【００３２】
図３は、リソース管理装置の内部構成を示すブロック図である。この図３には図２において説明した、既存のアクセス方式ａに依存するリソース管理装置２０１を図示してある。リソース管理装置２０１は、対応する基地局１０１とのインターフェース３０１と、リソース集中管理装置２１０とのインターフェース３０２を有している。これらインターフェース３０１，３０２は、送信／受信部３０３を介して信号解析部３０４に接続されている。リソース割当部３０５は信号解析部３０４より端末またはリソース集中管理装置２１０からのリソース割当要求を受け取り、リソース利用状況記憶部３０６のリソース利用状況を照合し、リソース割当を行う。そして、リソース利用状況記憶部３０６のリソース利用状況を更新する。
【００３３】
リソース利用状況記憶部３０６は一定時間ごとに、あるいは予め設定した閾値以上の変化があったときに信号解析部３０４、送信／受信部３０３を介してリソース集中管理装置２１０のリソース利用状況を更新する。リソース利用状況は、チャネルの割合、通話中コネクション等により得ることができる。図３は、アクセス方式ａに依存するリソース管理装置２０１の構成としたが、アクセス方式ｂ，ｃに依存するリソース管理装置２０２，２０３においても同様の構成である。
【００３４】
図４は、リソース集中管理装置の内部構成を示すブロック図である。リソース集中管理装置２１０は、図２および図３に示したリソース管理装置２０１，２０２，２０３とのインターフェース４０１，４０２，４０３を有している。これらインターフェース４０１，４０２，４０３は、送信／受信部４０４を介して信号解析部４０５に接続されている。信号解析部４０５には、各無線方式ａ，ｂ，ｃに対応したリソース割当部４０６と、各アクセス方式ａ，ｂ，ｃそれぞれのリソース利用状況を記憶するリソース利用状況記憶部４０７が接続されている。信号解析部４０５は、基地局１０１との間のインターフェース４０１，４０２，４０３、送信／受信部４０４を介して各リソース管理装置２０１，２０２，２０３から更新されたリソース利用状況を受信する。
【００３５】
そして、この信号解析部４０５は、各リソース管理装置２０１，２０２，２０３から受信した各アクセス方式ａ，ｂ，ｃによる新たなリソース利用状況をリソース利用状況記憶部４０７に更新記憶する。リソース割当部４０６は、これら各アクセス方式ａ，ｂ，ｃのリソース利用状況を受けて各アクセス方式ａ，ｂ，ｃごとに新たに割り当てるリソースを決定する。決定したリソースは、送信／受信部４０４、インターフェース４０１，４０２，４０３を介して対応する各アクセス方式ａ，ｂ，ｃのリソース管理装置２０１，２０２，２０３に送信される。なお、図３に示したリソース管理装置２０１（２０２，２０３）において新たに割り当てられたリソースと、このリソース集中管理装置２１０により新たに割り当てられたリソースは、新たな割り当てを順次用いる方式、いずれか一方を優先させる方式、期間や時期、時間帯ごとに切り替える方式、等の各方式を採ることができる。
【００３６】
（端末側の構成）
図５は、Ｃ／Ｕ分離機能を有する端末の内部構成を示すブロック図である。図１に示したＣ／Ｕ分離機能を有する端末Ａ（１２１）の内部構成が示されている。この端末１２１は、上述したように、アクセス方式ａ，ｂ，ｃによる通信が可能であるとともに、制御信号Ｃと、ユーザーデータＵを分離するＣ／Ｕ分離機能を有している。３本のアンテナ５０１，５０２，５０３は、３つのアクセス方式ａ，ｂ，ｃに対応して設けられる。これらのアンテナ５０１，５０２，５０３は、送信／受信部５０４に接続され、各アクセス方式ａ，ｂ，ｃに対応した無線信号を受信および送信する。後述するが、信号解析部５０５は、この端末１２１の発信時、端末１２１の移動によるハンドオーバー時、端末１２１への着信時、のそれぞれにおける処理を行う。
【００３７】
信号解析部５０５には、無線信号の受信レベルを監視する受信レベル監視部５０６と、ネットワーク側に対してリソース割当要求を行うユーザーデータリソース要求部５０７が接続されている。受信レベル監視部５０６は、タイマを用いて一定時間ごとに受信レベルを監視して信号解析部５０５に出力する。ユーザーデータリソース要求部５０７には、後述するＣ／Ｕ分離インジケーターを記憶するＣ／Ｕ分離インジケーター記憶部５０９が接続されている。なお、Ｃ／Ｕ分離機能を有していない既存の端末１２２，１２３は、上記のＣ／Ｕ分離インジケーター記憶部５０９を除いた構成である。
【００３８】
（端末によるユーザーデータリソース要求時の手順）
次に、Ｃ／Ｕ分離機能を有する端末１２１がユーザーデータリソース割当要求を送信してからユーザーデータ通信成立までの手順について説明する。図６は、端末によるユーザーデータリソース要求時の手順を示すシーケンス図である。端末１２１は、図１に示すセル１１２に位置しており、アクセス方式ａによる制御信号の通信を行っている状態から、ネットワーク側にユーザーデータのリソースを割り当ててもらい、ユーザーデータの通信をはじめようとしている。
【００３９】
端末１２１は、リソース割当要求Ｓ６０１を通知する。リソース割当要求Ｓ６０１は、Ｃ／Ｕ分離インジケーターと、電波測定レポートと、要求サービスの各情報からなる。このリソース割当要求Ｓ６０１は、アクセス方式ａの基地局１０１を介してリソース管理装置２０１に出力される。リソース管理装置２０１は、リソース割当要求Ｓ６０１の内容に基づいて端末１２１がＣ／Ｕ分離機能を有する端末であると判断する（Ｓ６０２）。そして、リソース管理装置２０１は、リソース集中管理装置２１０に対してリソース割当要求Ｓ６０３を通知する。
【００４０】
リソース集中管理装置２１０は、このリソース割当要求Ｓ６０３に基づき、アクセス方式ｂの基地局１０２を選択する（Ｓ６０４）。そして、リソース集中管理装置２１０は、アクセス方式ｂのリソース管理装置２０２に対してリソース確保要求Ｓ６０５を行い、対応してリソース管理装置２０２はリソース確保応答Ｓ６０６を通知する。この後、リソース集中管理装置２１０は、アクセス方式ａのリソース管理装置２０１と、アクセス方式ａの基地局１０１に対してリソース割当通知Ｓ６０７を通知する。リソース割当通知Ｓ６０７は、アクセス方式ｂ、セル１１２、チャネル等の各情報からなる。このリソース割当通知Ｓ６０７は、基地局１０１から端末１２１に通知される。
【００４１】
端末１２１は、リソース割当通知Ｓ６０７を受けて、ユーザーデータのチャネル設定を行う（Ｓ６０８）。これにより、端末１２１は、アクセス方式ｂの基地局１０２を介してＩＰルーター６００との間でユーザーデータの通信を開始する（Ｓ６０９）。このユーザーデータの通信開始と同時、あるいは前後して端末１２１は、リソース割当通知Ｓ６０７に対応したリソース割当応答Ｓ６１０を基地局１０１を介してリソース管理装置２０１に応答する。
【００４２】
図７は、リソース割当要求のメッセージ内容を示す図表である。図６を用いて説明したリソース割当要求Ｓ６０１の各情報を一覧化した。図示のように、リソース割当要求Ｓ６０１は、複数の情報子（ＩＥ：Ｉｎｆｏｒｍａｔｉｏｎ  Ｅｌｅｍｅｎｔ）により構成されている。メッセージタイプ（Ｍｅｓｓａｇｅ  Ｔｙｐｅ）と、ＵＥ情報（ＵＥ  ｉｎｆｏｒｍａｔｉｏｎ  Ｅｌｅｍｅｎｔｓ）と、要求サービス情報と、計測情報（Ｍｅａｓｕｒｅｍｅｎｔ  Ｉｎｆｏｒｍａｔｉｏｎ  Ｅｌｅｍｅｎｔｓ）は必須の情報子である。要求サービス情報は、発信するユーザーデータ（呼のサービス情報、属するトラヒッククラス、ビットレート要求、遅延要求）などのＱｏｓ関連の情報からなる。計測情報は、受信可能な無線アクセス方式の受信レベル結果報告（電波測定レポート）である。そして、リソース割当要求Ｓ６０１には、Ｃ／Ｕ分離インジケーターがオプションとして設けられる。このＣ／Ｕ分離インジケーターのＩＥは、Ｃ／Ｕ分離機能を有する端末（端末１２１）において用いることができる。例えば、値が１なら、Ｃ／Ｕ分離機能を有することを示し、Ｃ／Ｕ分離インジケーター記憶部５０９（図５参照）に記憶される。
【００４３】
図８は、ユーザーデータのリソース割当要求時の端末の処理手順を示すフローチャートである。図６に示す端末１２１の処理が示されている。端末１２１のユーザーデータリソース要求部５０７（図５参照）は、ユーザーデータ呼の要求サービスを選択し、Ｃ／Ｕ分離インジケーターをＣ／Ｕ分離インジケーター記憶部５０９から読み出す。これら要求サービスと、Ｃ／Ｕ分離インジケーターをユーザーデータ呼のリソース割当要求Ｓ６０１（図６参照）に入れる（ステップＳ８０１）。
【００４４】
次に、信号解析部５０５は、受信レベル監視部５０６において監視された受信レベル測定状況（電波測定レポート）を取得し、リソース割当要求Ｓ６０１とともに、送信するよう送信／受信部５０４に指示し、制御信号が確立しているセルの基地局（図６の手順の例では基地局１０１）へ送信する（ステップＳ８０２）。
【００４５】
次に、信号解析部５０５は、リソース割当通知Ｓ６０７（図６参照）を待ち（ステップＳ８０３：Ｎｏのループ）、通知されると（ステップＳ８０３：Ｙｅｓ）、信号解析部５０５は、送信／受信部５０４に対してユーザーデータの受信設定を行う（ステップＳ８０４）。このユーザーデータは、チャネル設定（図６のＳ６０８）された基地局（図６の手順の例では基地局１０１）を介して送受信される。これにより、送信／受信部５０４がユーザーデータを受信可能な状態になり、信号解析部５０５は、リソース割当応答Ｓ６１０（図６参照）を、制御信号の確立しているセルの基地局（図６の手順の例では基地局１０１）へ送信する（ステップＳ８０５）。これにより、端末１２１は、ユーザーデータＳ６０９（図６参照）の通信が行えるようになり（ステップＳ８０６）、処理を終了する。
【００４６】
図９は、端末によるユーザーデータのリソース割当要求時におけるリソース管理装置の処理手順を示すフローチャートである。図６に示すリソース管理装置２０１の処理が示されている。リソース管理装置２０１が端末１２１のリソース割当要求Ｓ６０１を受信すると（ステップＳ９０１）、信号解析部３０４（図３参照）は、このリソース割当要求Ｓ６０１のメッセージにＣ／Ｕ分離インジケーターがあるかを判断する（ステップＳ９０２）。Ｃ／Ｕ分離インジケーターがあれば（ステップＳ９０２：Ｙｅｓ）、信号解析部３０４は、端末１２１のリソース割当要求Ｓ６０１を送信／受信部３０３を介してリソース集中管理装置２１０に送信する（ステップＳ９０３）。そして、リソース集中管理装置２１０からリソース割当通知Ｓ６０７（図６参照）を待つ（ステップＳ９０４：Ｎｏのループ）。
【００４７】
リソース集中管理装置２１０からリソース割当通知Ｓ６０７が来ると（ステップＳ９０４：Ｙｅｓ）、信号解析部３０４は、リソース割当通知Ｓ６０７を送信／受信部３０３を経由して端末１２１に送信する（ステップＳ９０５）。そして、端末１２１からのリソース割当応答Ｓ６１０を待つ（ステップＳ９０６：Ｎｏのループ）。端末１２１からリソース割当応答Ｓ６１０が来ると（ステップＳ９０６：Ｙｅｓ）、処理を終了する。
【００４８】
なお、ステップＳ９０２において、Ｃ／Ｕ分離インジケーターがなければ（ステップＳ９０２：Ｎｏ）、リソース管理装置２０１は、従来同様のＣ／Ｕ分離のないリソース割当手順にしたがった処理を行い（ステップＳ９０７）、処理を終了する。
【００４９】
図１０は、端末によるユーザーデータのリソース割当要求時におけるリソース集中管理装置の処理手順を示すフローチャートである。図６に示すリソース集中管理装置２１０の処理が示されている。リソース集中管理装置２１０がリソース管理装置２０１からのリソース割当要求Ｓ６０３を受信すると（ステップＳ１００１）、信号解析部４０５（図４参照）は、リソース割当部４０６に対して割当要求を行う。リソース割当部４０６は、端末１２１の受信レベル（電波測定レポート）、ユーザーデータ呼の要求サービスから適するアクセス方式を選ぶ（ステップＳ１００２）。次に、リソース割当部４０６は、リソース利用状況記憶部４０７からステップＳ１００２にて選択したアクセス方式に該当する基地局のリソース利用状況を調べ、リソースを割り当てる（ステップＳ１００３）。
【００５０】
次に、リソース割当部４０６は、リソース確保要求Ｓ６０５のメッセージを生成し、信号解析部４０５に送る。信号解析部４０５は、このリソース確保要求Ｓ６０５を送信／受信部４０４を介して、ユーザーデータに関するリソース確保先のリソース管理装置２０２に送る（ステップＳ１００４）。この後、リソース管理装置２０２からのリソース確保応答Ｓ６０６を待つ（ステップＳ１００５：Ｎｏのループ）。リソース管理装置２０２からリソース確保応答Ｓ６０６が来ると（ステップＳ１００５：Ｙｅｓ）、信号解析部４０５は、端末１２１のリソース割当要求Ｓ６０１に対するリソース割当通知Ｓ６０７を送信／受信部４０４を介して元のリソース管理装置２０１に送信して（ステップＳ１００６）、処理を終了する。
【００５１】
図１１は、端末によるユーザーデータのリソース割当要求時における他のリソース管理装置の処理手順を示すフローチャートである。図６に示すリソース管理装置２０２の処理が示されている。リソース管理装置２０２は、リソース集中管理装置２１０からのリソース確保要求Ｓ６０５を受信すると（ステップＳ１１０１）、信号解析部３０４（図３参照）は、リソース利用状況記憶部３０６に記憶されたリソース利用状況を照合し、リソースを確保する。そして、リソースが確保できたことを示すリソース確保応答Ｓ６０６をリソース集中管理装置２１０に送信する（ステップＳ１１０２）。また、確保できたリソースを更新してリソース利用状況記憶部３０６に記憶し（ステップＳ１１０３）、処理を終了する。
【００５２】
（Ｃ／Ｕ分離機能を有する端末が他のセルに移動したときの手順）
図１２は、Ｃ／Ｕ分離機能を有する端末が他のアクセス方式のセルに移動した状態を示す概要図である。図１２に示す各構成は図１と同様であるが、説明の便宜上、図１に記載したアクセス方式ｄを省略した。また、Ｃ／Ｕ分離機能を有する端末１２１のみを記載してある。以下の説明では、図示のように、アクセス方式ｂに配属していた端末１２１がアクセス方式ｃの配下に移動したとする。そして、制御信号のリンクはアクセス方式ａに配属した状態のまま、ユーザーデータのリンクをアクセス方式ｂからアクセス方式ｃに切り替えるハンドオーバーを行う。このハンドオーバーの内容について説明する。
【００５３】
図１３は、端末が移動したときのハンドオーバーの手順を示すシーケンス図である。端末１２１は、アクセス方式ｂの基地局１０２によりユーザーデータ通信中である（Ｓ１３０１）。ここで、アクセス方式ｂに配属していた端末１２１がアクセス方式ｃの配下に移動したとき、端末１２１は、アクセス方式ａのセル１１２内における通信中チャネルの電波の受信レベルが低下する。そして、受信レベル監視部５０６（図５参照）は、この受信レベルが予め設定した閾値を下回ったことを検出する（Ｓ１３０２）。これにより、端末１２１は、メジャーメント・レポートＳ１３０３を送信する。
【００５４】
このメジャーメント・レポートＳ１３０３は、Ｃ／Ｕ分離インジケーター、電波測定レポート等の各情報からなり、アクセス方式ａの基地局１０１を介してリソース管理装置２０１に伝えられる。リソース管理装置２０１は、メジャーメント・レポートＳ１３０３に含まれるＣ／Ｕ分離インジケーターに基づいて、端末１２１がＣ／Ｕ分離機能を有する端末であると判断する（Ｓ１３０４）。これにより、リソース管理装置２０１は、リソース集中管理装置２１０に対して、ハンドオーバー要求Ｓ１３０５を通知する。ハンドオーバー要求Ｓ１３０５は、Ｃ／Ｕ分離インジケーター、電波測定レポート、要求サービス等の情報からなる。
【００５５】
リソース集中管理装置２１０は、ハンドオーバー要求Ｓ１３０５により、ハンドオーバーする基地局を判断する（Ｓ１３０６）。ここでは、アクセス方式ｃの基地局１０３にハンドオーバーすると判断する。これにより、リソース集中管理装置２１０は、該当するアクセス方式ｃのリソース管理装置２０３に対してユーザーデータに関するリソース確保要求Ｓ１３０７を通知する。リソース管理装置２０３はリソースを確保できると、リソース集中管理装置２１０にリソース確保応答Ｓ１３０８を通知する。
【００５６】
この後、リソース集中管理装置２１０は、アクセス方式ａのリソース管理装置２０１、基地局１０１を介して端末１２１にハンドオーバー応答Ｓ１３０９を送信する。ハンドオーバー応答Ｓ１３０９は、リソースを確保したアクセス方式と、該当するセルと、チャネル等の情報からなる。この場合のハンドオーバー応答Ｓ１３０９は、アクセス方式ｃ、セル１１３の情報となる。
【００５７】
端末１２１は、このハンドオーバー応答Ｓ１３０９を受けてユーザーデータのチャネル設定を行う（Ｓ１３１０）。この後、端末１２１は、アクセス方式ｃの基地局１０３を介してＩＰルーター６００との間でユーザーデータの通信を開始する（Ｓ１３１１）。このユーザーデータの通信開始と同時、あるいは前後して端末１２１は、ハンドオーバー応答Ｓ１３０９に対応したハンドオーバー終了通知Ｓ１３１２を制御信号の確立している基地局１０１、リソース管理装置２０１を介して、リソース集中管理装置２１０に通知する。この後、リソース集中管理装置２１０は、以前のリソースを使用していたアクセス方式ｂのリソース管理装置２０２に対してリソース解放要求Ｓ１３１３を通知する。リソース管理装置２０２は、リソース集中管理装置２１０に対してリソース解放応答Ｓ１３１４を通知する。
【００５８】
図１４は、メジャーメント・レポートのメッセージ内容を示す図表である。図１３を用いて説明したメジャーメント・レポートＳ１３０３の各情報を一覧化した。図示のように、メジャーメント・レポートＳ１３０３は、複数の情報子（ＩＥ：Ｉｎｆｏｒｍａｔｉｏｎ  Ｅｌｅｍｅｎｔ）により構成されている。メッセージタイプ（Ｍｅｓｓａｇｅ  Ｔｙｐｅ）と、ＵＥ情報（ＵＥ  ｉｎｆｏｒｍａｔｉｏｎ  Ｅｌｅｍｅｎｔｓ）と、計測情報（Ｍｅａｓｕｒｅｍｅｎｔ  Ｉｎｆｏｒｍａｔｉｏｎ  Ｅｌｅｍｅｎｔｓ）は必須の情報子である。計測情報は、受信可能な無線アクセス方式の受信レベル結果報告（電波測定レポート）である。そして、メジャーメント・レポートＳ１３０３には、Ｃ／Ｕ分離インジケーターがオプションとして設けられる。このＣ／Ｕ分離インジケーターのＩＥは、Ｃ／Ｕ分離機能を有する端末（端末１２１）において用いることができる。例えば、値が１なら、Ｃ／Ｕ分離機能を有することを示し、Ｃ／Ｕ分離インジケーター記憶部５０９（図５参照）に記憶される。
【００５９】
図１５は、ハンドオーバー時の端末の処理手順を示すフローチャートである。図１３に示す端末１２１の処理が示されている。端末１２１は、ユーザーデータの通信を行っている状態であるとする。そして、端末１２１は、受信レベル監視部５０６（図５参照）により電波レベルの変化を監視している。受信レベル監視部５０６は、ユーザーデータの受信レベル劣化を監視し、電波測定レポートと共に信号解析部５０５に知らせる（ステップＳ１５０１）。端末１２１の移動により、受信レベルが予め設定した閾値を下回ったとき、メジャーメント・レポートＳ１３０３を送信する（図１３参照）。これにより、ネットワーク側のリソース管理装置２０１はハンドオーバー要求Ｓ１３０５を行い、移動先のセル（図１３の例ではセル１１３）におけるリソース確保後にハンドオーバー応答Ｓ１３０９を端末１２１に伝える。
【００６０】
端末１２１では、ハンドオーバー応答Ｓ１３０９を待つ（ステップＳ１５０２：Ｎｏの
ループ）。ハンドオーバー応答Ｓ１３０９が来ると（ステップＳ１５０２：Ｙｅｓ）、信号解析部５０５は、受信したハンドオーバー応答Ｓ１３０９にしたがい、送信／受信部５０４に対してユーザーデータの受信設定を行うように指示する（ステップＳ１５０３）。これにより、送信／受信部５０４はユーザーデータを受信可能な状態になり、信号解析部５０５は、ハンドオーバー終了通知Ｓ１３１２を制御信号の確立している基地局１０１へ送信する（ステップＳ１５０４）。以上でハンドオーバーの処理が終了し、端末１２１は、移動先の新たなセル１１３の基地局１０３とユーザーデータの通信を行い（ステップＳ１５０５）、処理終了する。
【００６１】
図１６は、ハンドオーバー時のリソース管理装置の処理手順を示すフローチャートである。図１３に示すリソース管理装置２０１の処理が示されている。リソース管理装置２０１が端末１２１のメジャーメント・レポートＳ１３０３を受信すると（ステップＳ１６０１）、信号解析部３０４は（図３参照）、このメジャーメント・レポートＳ１３０３のメッセージにＣ／Ｕ分離インジケーターがあるかを判断する（ステップＳ１６０２）。Ｃ／Ｕ分離インジケーターがあれば（ステップＳ１６０２：Ｙｅｓ）、信号解析部３０４は、ハンドオーバー要求Ｓ１３０５を送信／受信部３０３を介してリソース集中管理装置２１０に送信する（ステップＳ１６０３）。そして、リソース集中管理装置２１０からハンドオーバー応答Ｓ１３０９（図１３参照）を待つ（ステップＳ１６０４：Ｎｏのループ）。
【００６２】
リソース集中管理装置２１０からハンドオーバー応答Ｓ１３０９が来ると（ステップＳ１６０４：Ｙｅｓ）、信号解析部３０４は、ハンドオーバー応答Ｓ１３０９を送信／受信部３０３を経由して端末１２１に送信する（ステップＳ１６０５）。そして、端末１２１からのハンドオーバー終了通知Ｓ１３１２を待つ（ステップＳ１６０６：Ｎｏのループ）。端末１２１からハンドオーバー終了通知Ｓ１３１２が来ると（ステップＳ１６０６：Ｙｅｓ）、このハンドオーバー終了通知Ｓ１３１２を送信／受信部３０３を介してリソース集中管理装置２１０に送信し（ステップＳ１６０７）、処理を終了する。
【００６３】
なお、ステップＳ１６０２において、Ｃ／Ｕ分離インジケーターがなければ（ステップＳ１６０２：Ｎｏ）、リソース管理装置２０１は、従来同様のＣ／Ｕ分離のないハンドオーバー手順にしたがった処理を行い（ステップＳ１６０８）、処理を終了する。
【００６４】
図１７は、ハンドオーバー時のリソース集中管理装置の処理手順を示すフローチャートである。図１３に示すリソース集中管理装置２１０の処理が示されている。リソース集中管理装置２１０がリソース管理装置２０１からのハンドオーバー要求Ｓ１３０５を受信すると（ステップＳ１７０１）、信号解析部４０５（図４参照）は、リソース割当部４０６に対してハンドオーバーの処理を要求する。リソース割当部４０６は、ハンドオーバー要求Ｓ１３０５に含まれる受信レベル（電波測定レポート）、ユーザーデータ呼の要求サービスに基づいて適するアクセス方式を選ぶ（ステップＳ１７０２）。次に、リソース割当部４０６は、リソース利用状況記憶部４０７からステップＳ１７０２にて選択したアクセス方式に該当する基地局のリソース利用状況を調べ、リソースを割り当てる（ステップＳ１７０３）。
【００６５】
次に、リソース割当部４０６は、リソース確保要求Ｓ１３０７のメッセージを生成し、信号解析部４０５に送る。信号解析部４０５は、このリソース確保要求Ｓ１３０７を送信／受信部４０４を介して、ユーザーデータに関するリソース確保先のリソース管理装置２０３に送る（ステップＳ１７０４）。この後、リソース管理装置２０３からのリソース確保応答Ｓ１３０８を待つ（ステップＳ１７０５：Ｎｏのループ）。リソース管理装置２０３からリソース確保応答Ｓ１３０８が来ると（ステップＳ１７０５：Ｙｅｓ）、信号解析部４０５は、端末１２１のハンドオーバー要求Ｓ１３０５に対するハンドオーバー応答Ｓ１３０９を送信／受信部４０４を介してリソース管理装置２０１に送信する（ステップＳ１７０６）。
【００６６】
この後、リソース管理装置２０１からのハンドオーバー終了通知Ｓ１３１２を待つ（ステップＳ１７０７：Ｎｏのループ）。リソース管理装置２０１からハンドオーバー終了通知Ｓ１３１２が来ると（ステップＳ１７０７：Ｙｅｓ）、信号解析部４０５は、端末１２１のハンドオーバー前のユーザーデータセルを管理するリソース管理装置２０２に対し、この端末１２１のためのリソースを解放するようにリソース解放要求Ｓ１３１３を出す（ステップＳ１７０８）。この後、リソース管理装置２０２からのリソース解放応答Ｓ１３１４を待つ（ステップＳ１７０９：Ｎｏのループ）。リソース管理装置２０２からリソース解放応答Ｓ１３１４が来ると（ステップＳ１７０９：Ｙｅｓ）、処理を終了する。
【００６７】
次に、ハンドオーバー時における他のリソース管理装置２０３の処理手順については、前述した図１１に示した内容と同じであるため、説明を省略する。図１１では、リソース管理装置２０２の処理であったが、この処理内容と同じ処理をリソース管理装置２０３にて行う。
【００６８】
図１８は、ハンドオーバー時における他のリソース管理装置処理手順を示すフローチャートである。図１３に示すリソース管理装置２０２の処理が示されている。リソース管理装置２０２は、リソース集中管理装置２１０からのリソース解放要求Ｓ１３１３を受信すると（ステップＳ１８０１）、信号解析部３０４（図３参照）は、該当するリソースを解放し、リソース利用状況記憶部３０６に記憶されたリソース利用状況を更新する（ステップＳ１８０２）。そして、リソース解放要求Ｓ１３１３に対応するリソース解放応答Ｓ１３１４をリソース集中管理装置２１０に送信し（ステップＳ１８０３）、処理を終了する。
【００６９】
（Ｃ／Ｕ分離機能を有する端末に対する着信時の手順）
図１９は、ネットワーク側から端末に対する着信時の手順を示すシーケンス図である。ネットワーク側は着信要求Ｓ１９０１を行い、端末１２１が配属していたリソース管理装置２０１を介して該当する端末１２１に対してページングを行う。着信要求Ｓ１９０１は、端末１２１のＩＤ、着信呼要求サービス等の各情報を含む。
【００７０】
ページングを受けた端末１２１は、ページング応答Ｓ１９０２を通知する。ページング応答Ｓ１９０２は、Ｃ／Ｕ分離インジケーター、電波測定レポート等の各情報からなる。このページング応答Ｓ１９０２は、アクセス方式ａの基地局１０１を介してリソース管理装置２０１に出力される。リソース管理装置２０１は、ページング応答Ｓ１９０２の内容に基づいて端末１２１がＣ／Ｕ分離機能を有する端末であると判断する（Ｓ１９０３）。そして、リソース管理装置２０１は、リソース集中管理装置２１０に対してリソース割当要求Ｓ１９０４を通知する。
【００７１】
リソース集中管理装置２１０は、このリソース割当要求Ｓ１９０４に基づき、最適なアクセス方式の基地局を選択する（Ｓ１９０５）。図１９の例では、アクセス方式ｃの基地局１０３が適切であると判断したことが示されている。そして、リソース集中管理装置２１０は、アクセス方式ｃのリソース管理装置２０３に対してリソース確保要求Ｓ１９０６を行い、対応してリソース管理装置２０３はリソース確保応答Ｓ１９０７を通知する。この後、リソース集中管理装置２１０は、アクセス方式ａのリソース管理装置２０１と基地局１０１に対してリソース割当通知Ｓ１９０８を通知する。リソース割当通知Ｓ１９０８は、アクセス方式ｃ、セル１１１、チャネル等の各情報からなる。このリソース割当通知Ｓ１９０８は、基地局１０１から端末１２１に通知される。
【００７２】
端末１２１は、リソース割当通知Ｓ１９０８を受けて、ユーザーデータのチャネル設定を行う（Ｓ１９０９）。これにより、端末１２１は、アクセス方式ｃの基地局１０３を介してＩＰルーター６００との間でユーザーデータの通信を開始する（Ｓ１９１０）。このユーザーデータの通信開始と同時、あるいは前後して端末１２１は、リソース割当通知Ｓ１９０８に対応したリソース割当応答Ｓ１９１１をリソース管理装置２０１に応答する。
【００７３】
図２０は、ページング応答のメッセージ内容を示す図表である。図１９を用いて説明したページング応答Ｓ１９０２の各情報を一覧化した。図示のように、ページング応答Ｓ１９０２は、複数の情報子（ＩＥ）により構成されている。メッセージタイプ（Ｍｅｓｓａｇｅ  Ｔｙｐｅ）と、ＵＥ情報（ＵＥ  ｉｎｆｏｒｍａｔｉｏｎ  Ｅｌｅｍｅｎｔｓ）と、計測情報（Ｍｅａｓｕｒｅｍｅｎｔ  Ｉｎｆｏｒｍａｔｉｏｎ  Ｅｌｅｍｅｎｔｓ）は必須の情報子である。計測情報は、受信可能な無線アクセス方式の受信レベル結果報告（電波測定レポート）である。そして、ページング応答Ｓ１９０２には、Ｃ／Ｕ分離インジケーターがオプションとして設けられる。このＣ／Ｕ分離インジケーターのＩＥは、Ｃ／Ｕ分離機能を有する端末（端末１２１）において用いることができる。例えば、値が１なら、Ｃ／Ｕ分離機能を有することを示し、Ｃ／Ｕ分離インジケーター記憶部５０９（図５参照）に記憶される。
【００７４】
図２１は、着信時における端末の処理手順を示すフローチャートである。図１９に示す端末１２１の処理が示されている。端末１２１がページングを受信すると（ステップＳ２１０１）、信号解析部５０５（図５参照）は、Ｃ／Ｕ分離インジケーター記憶部５０９に記憶されたＣ／Ｕ分離インジケーターと、受信レベル監視部５０６が監視した端末における受信レベル測定状況を取得する（ステップＳ２１０２）。そして、信号解析部５０５は、Ｃ／Ｕ分離インジケーターと、電波受信レポートをページング応答Ｓ１９０２（図１９参照）に入れて送信するよう送信／受信部５０４に指示し、制御信号の確立しているセルの基地局（図１９の手順の例では基地局１０１）へ送信する（ステップＳ２１０３）。
【００７５】
次に、信号解析部５０５は、リソース割当通知Ｓ１９０８（図１９参照）を待ち（ステップＳ２１０４：Ｎｏのループ）、通知されると（ステップＳ２１０４：Ｙｅｓ）、送信／受信部５０４に対してユーザーデータの受信設定を行う（ステップＳ２１０５）。このユーザーデータは、チャネル設定された基地局（図１９の手順の例では基地局１０３）を介して送受信される。これにより、送信／受信部５０４がユーザーデータを受信可能な状態になり、信号解析部５０５は、リソース割当応答Ｓ１９１１を、制御信号の確立しているセルの基地局（図１９の手順の例では基地局１０１）へ送信する（ステップＳ２１０６）。これにより、端末１２１は、ユーザーデータＳ１９１０の送受信が行えるようになり（ステップＳ２１０７）、処理を終了する。
【００７６】
図２２は、端末への着信時におけるリソース管理装置の処理手順を示すフローチャートである。図１９に示すリソース管理装置２０１の処理が示されている。リソース管理装置２０１が端末１２１への着信要求Ｓ１９０１を受信すると（ステップＳ２２０１）、信号解析部３０４（図３参照）は、端末１２１に対してページングをかける（ステップＳ２２０２）。次に、端末１２１から来たページング応答Ｓ１９０２のメッセージにＣ／Ｕ分離インジケーターがあるかを判断する（ステップＳ２２０３）。Ｃ／Ｕ分離インジケーターがあれば（ステップＳ２２０３：Ｙｅｓ）、信号解析部３０４は、端末１２１のリソース割当要求Ｓ１９０４を送信／受信部３０３を介してリソース集中管理装置２１０に送信する（ステップＳ２２０４）。そして、リソース集中管理装置２１０からリソース割当通知Ｓ１９０８（図１９参照）を待つ（ステップＳ２２０５：Ｎｏのループ）。
【００７７】
リソース集中管理装置２１０からリソース割当通知Ｓ１９０８が来ると（ステップＳ２２０５：Ｙｅｓ）、信号解析部３０４は、リソース割当通知Ｓ１９０８を送信／受信部３０３を経由して端末１２１に送信する（ステップＳ２２０６）。そして、端末１２１からのリソース割当応答Ｓ１９１１を待つ（ステップＳ２２０７：Ｎｏのループ）。端末１２１からリソース割当応答Ｓ１９１１が来ると（ステップＳ２２０７：Ｙｅｓ）、処理を終了する。
【００７８】
なお、ステップＳ２２０３において、Ｃ／Ｕ分離インジケーターがなければ（ステップＳ２２０３：Ｎｏ）、リソース管理装置２０１は、従来同様のＣ／Ｕ分離のないリソース割当手順にしたがった処理を行い（ステップＳ２２０８）、処理を終了する。
【００７９】
図１９において配置される他の構成部、すなわち、端末１２１への着信時における他のリソース管理装置２０３の処理手順については、前述した図１０に示した内容と同じであるため、説明を省略する。同様に、端末１２１への着信時におけるリソース集中管理装置２１０の処理手順についても、前述した図１１に示した内容と同じであるため、説明を省略する。
【００８０】
以上説明した実施の形態１によれば、Ｃ／Ｕ分離機能の有無を端末が保有し、Ｃ／Ｕ分離インジケーターとしてネットワーク側に送信し、ネットワーク側もＣ／Ｕ分離インジケーターに基づいて処理する構成であるため、Ｃ／Ｕ分離機能を有する端末と、既存のＣ／Ｕ分離機能をもたない端末がセル内に共存した場合であっても、既存のＣ／Ｕ分離機能をもたない端末の処理に影響を与えずに、Ｃ／Ｕ分離機能を有する端末のリソース割り当て、ハンドオーバーおよび端末への着信を実現できるようになる。
【００８１】
以上説明したように、実施の形態１によれば、実際のＵＭＴＳネットワークが様々な能力のもつ端末を収容し、従来のＣ／Ｕ分離機能のない単一モード端末や複数モード端末、および今後のＣ／Ｕ分離機能を有する端末を同一のセル内で混在して使用できるようになる。また、ネットワーク側の従来の無線アクセス方式に依存していたリソース管理装置をすべての無線アクセス方式に対応するように機能変更する必要がないため、従来の単一型の無線アクセス方式のリソース管理装置を継続して利用することが可能であるため、ＵＭＴＳネットワークにおける従来のＣ／Ｕ分離機能のない端末に対する処理方法や処理速度に影響を与えることがない。したがって、既存の無線アクセス方式依存型のリソース管理装置機能を最大限に利用できる。さらに、Ｃ／Ｕ分離機能を有する端末では制御信号Ｃと、ユーザーデータＵとを別々のセルに配属させることができるようになり、効率的なネットワーク運用が可能になる。
【００８２】
（実施の形態２）
次に、この発明の実施の形態２について説明する。この発明の実施の形態２は、ユーザーデータのみを扱う（制御信号を扱わない）基地局と、制御信号とユーザーデータとを分離できる無線端末との間の無線アクセスが行える無線端末装置、無線通信システム、無線ネットワーク網、無線リソース管理装置、無線リソース管理システムおよび無線リソース管理方法に関するものである。
【００８３】
（無線アクセス管理のシステム構成）
図２３は、この発明の実施の形態２による無線アクセス管理システムを示す概要図である。複数の基地局を中心として複数の無線アクセス方式（以下、アクセス方式と称する）によるエリアが設けられている。アクセス方式１（例えばＷ−ＣＤＭＡ）による基地局２３０１のセル２３１１は、エリア範囲が広い。この基地局２３０１は、制御信号と、ユーザーデータの両方を扱っている。アクセス方式３は、例えばＧＳＭ，ＰＤＣであり、この基地局２３０３についても、制御信号と、ユーザーデータの両方を扱っており、セル２３１３のエリア範囲が広い。
【００８４】
図２３に記載したアクセス方式２の基地局２３０１は、移動型基地局（Ｍｏｂｉｌｅ  Ｒｏｕｔｅｒ型）を用いる構成とした。これに限らず、この基地局２３０１は、静止型基地局（Ａｃｃｅｓｓ  Ｐｏｉｎｔ型）を用いることもできる。
【００８５】
アクセス方式２は、例えば、Ｗ−ＬＡＮ、Ｂｌｕｅｔｏｏｔｈ、または将来の新しいアクセス方式であり、基地局は２３０２である。このアクセス方式２は、アクセス方式１，３に比して伝送レート（伝送速度）が高く、セル２３１２の半径が狭く、連続的な電波のカバーエリアをもたず、局所的（ホットスポット的）に設けられる等の特徴を有している。この基地局２３０２は、ユーザーデータのみを扱い、制御信号は扱わない。この基地局２３０２は、セル２３１２内に存在する無線端末Ａ（２３２１）から受け取ったＩＰパケットをルーティングする機能を備えている。
【００８６】
ここで、携帯電話の移動機等である無線端末Ａ（２３２１）は、アクセス方式１，２，３による通信が可能である。以下、無線端末を端末と称す。この端末Ａ（２３２１）は、制御信号（コントロールデータ）Ｃと、ユーザーデータＵを分離するＣ／Ｕ分離機能を有している。なお、Ｃ／Ｕ分離機能を有していない端末、例えば図１記載の端末Ｂ（１２２）については、アクセス方式１による通信が可能である。しかし、この端末Ｂ（１２２）は、アクセス方式２の基地局が制御信号扱わないため、基地局２３０２を介しての通信を行うことができない。なお、将来、基地局２３０２を介さないで端末同士間での通信を行う方式が現われると推定される。このような端末同士は、上記のアクセス方式２を用いた通信を行うことが考えられる。
【００８７】
図２４は、実施の形態２による無線アクセス管理システムのネットワーク側のシステムを示すブロック図である。ネットワーク側のリソース管理装置２４００は、各アクセス方式１，２，３の基地局２３０１，２３０２，２３０３のリソース利用状況を収集しており、各アクセス方式１，２，３のリソースを割り当てることができる。リソース管理装置２４００は、複数のリソース管理装置によって構成し、その中に従来の一つのアクセス方式、例えばアクセス方式ｄ（図１参照）のみを管理するリソース管理装置を設けたり、複数のアクセス方式のリソースを集中して管理できるリソース集中管理装置を新たに設けてもよい。
【００８８】
各基地局２３０１，２３０２，２３０３は、リソース管理装置２４００の指示にしたがい、端末Ａ（２３２１）に対するリソースの確保や、リソース解放を行う。無線アクセス方式１，３の基地局２３０１，２３０３は、制御信号と、ユーザーデータの両方を扱うことができ、リソース管理装置２４００と、位置情報管理装置２４０１と、ＩＰルーター２４０２と接続されている。無線アクセス方式２の基地局２３０２は、ユーザーデータのみを扱い、ＩＰルーター２４０２と接続されており、位置情報管理装置２４０１には接続されていない。この基地局２３０２は、端末Ａ（２３２１）へのリソース割り当てなどの指示を受けるために、リソース管理装置２４００にも接続されている。
【００８９】
（端末の構成）
図２５は、Ｃ／Ｕ分離機能を有する端末の内部構成を示すブロック図である。図２３に示したＣ／Ｕ分離機能を有する端末Ａ（２３２１）の内部構成が示されている。この端末Ａ（２３２１）は、上述したように、アクセス方式１，２，３による通信が可能であるとともに、制御信号Ｃと、ユーザーデータＵを分離するＣ／Ｕ分離機能を有している。３本のアンテナ２５０１，２５０２，２５０３は、３つのアクセス方式ａ，ｂ，ｃに対応して設けられる。これらのアンテナ２５０１，２５０２，２５０３は、送信／受信部２５０４に接続され、各アクセス方式１，２，３に対応した無線信号を受信および送信する。後述するが、信号解析部２５０５は、この端末Ａ（２３２１）の発信時、端末Ａ（２３２１）の移動によるハンドオーバー時、端末Ａ（２３２１）への着信時、にそれぞれの処理を行う。
【００９０】
信号解析部２５０５には、無線信号の受信レベルを監視する受信レベル監視部２５０６と、ネットワーク側に対して位置登録要求を行う位置登録要求部２５０７が接続されている。受信レベル監視部２５０６には、受信レベルを監視して信号解析部２５０５に出力する。この受信レベル監視部２５０６には、制御信号の優先順位、およびユーザーデータの優先順位を記憶する優先リスト記憶部２５０８が接続されている。位置登録要求部２５０７には、端末Ａ（２３２１）の位置登録エリアを記憶する位置登録エリア記憶部２５０９が接続されている。
【００９１】
図２６−１は、優先リスト記憶部に記憶される制御信号優先順位の内容を示す図表である。図示のように、優先リスト記憶部２５０８（図２５参照）には、制御信号の優先順位と、各優先順位のアクセス方式が記憶される。図示の例では、アクセス方式１の方がアクセス方式３よりも優先順位が高くなるように記憶されている。なお、この端末Ａ（２３２１）は、アクセス方式２についての通信能力を有しているが、アクセス方式２の基地局２３０２が制御信号を扱わない、あるいは制御信号の伝送に適さないため、この端末Ａ（２３２１）では、アクセス方式２を制御信号の優先順位に載せていない。これにより、端末Ａ（２３２１）は、アクセス方式２を制御信号用として選ぶことがない。
【００９２】
図２６−２は、優先リスト記憶部に記憶されるユーザーデータ優先順位の内容を示す図表である。図示のように、優先リスト記憶部２５０８（図２５参照）には、ユーザーデータの優先順位と、各優先順位のアクセス方式が記憶される。図示の例では、優先順位が高い順にアクセス方式２、アクセス方式１、アクセス方式３の順として優先順位が記憶されている。
【００９３】
このように、制御信号とユーザーデータの優先順位を独立して設定および記憶することができるようになっている。次に、優先順位の設定基準について説明する。
【００９４】
１．制御信号の優先順位の設定基準の例
ａ．セキュリティレベルの高低による設定（アクセス方式が異なる場合、認証、暗号化の手順などが異なる。ＷＬＡＮのセキュリティは弱いと言われている。）
ｂ．オペレーターによる任意の設定（それぞれのオペレーターがそれぞれの無線アクセス方式もっている場合、オペレーターが着信時のサービスなどによりユーザーが好むオペレーターのアクセス方式を優先的に使うように設定する。）
ｃ．通話料金の高低による設定
ｄ．端末電池消耗の違いによる設定（異なるアクセス方式の場合、端末の電池がもつ時間が異なる。）
ｅ．端末の移動速度による設定（移動中の端末にとって、カバーエリアの広い無線アクセス方式が位置更新するための制御が少なくて済むため、移動中、特に高速移動中はカバーエリアの広いアクセス方式を優先的に使う。）
制御信号の優先順位は端末自身が自動的に設定してもよく、ユーザーが任意に設定することもできる。
【００９５】
２．ユーザーデータの優先順位の設定基準の例
ａ．通話料金の高低による設定
ｂ．通信品質の違いによる設定（例えば、同じ音声、または画像などのサービスに対し、異なる無線アクセス方式による雑音、遅延、データロスなどの違いに基づき設定する。音声通話の場合、ａｕ社のＣｄｍａＯｎｅの方式の方が、ＤｏＣｏＭｏ社の第２世代（ＰＤＣ）の方式より雑音が少なく、途切れて聞こえない。）
ｃ．端末の移動速度による設定（移動中の端末にとって、カバーエリアの広い無線アクセス方式がハンドオーバーが少なくて済むため、移動中、特に高速移動中はカバーエリアの広い無線アクセス方式を優先的に使う。）
【００９６】
ユーザーデータが様々なサービスクラスをもつため（例、音声、データ、画像、ビデオ、大きなデータ、小さなデータ、遅延に弱いデータ、遅延があってもよいデータ）、判断基準は任意に設定することができる。そして、このようなユーザーデータの優先順位リストを端末が記憶することができる。なお、以下の説明では、端末は、制御信号をどのアクセス方式を用いて通信するかを決定する。ユーザーデータについては、ネットワーク側がどのアクセス方式を用いて通信するかを判断する構成としている。端末は、少なくとも制御信号に関する優先順位を設定し、通信する基地局を選択できるように構成すればよい。
【００９７】
そして、制御信号を扱わない無線アクセス方式があれば、この無線アクセス方式を優先リスト記憶部２５０８の制御信号優先順位（図２６−１参照）として記憶させないことにより、ユーザーデータ専用の無線アクセス方式が制御信号の通信用として選択されることを防止できる。端末Ａ（２３２１）は、制御信号が配属される位置登録エリアのみネットワーク側に登録することにより、ユーザーデータ専用の無線アクセス方式は、位置登録や、ページングなどの制御信号を扱わずに済むことになる。また、以下に説明するが、端末Ａ（２３２１）の発着信時や、ハンドオーバー時の制御信号（例えば、リソース割当要求、ページング応答、メジャーメント・レポートなど）の送受信は、すべて制御信号用の無線アクセス方式１を用いる。制御信号用の無線アクセス方式１の基地局２３０１と、端末Ａ（２３２１）との間で送受信することにより、ユーザーデータ専用の無線アクセス方式２の基地局２３０２は、発着信や、ハンドオーバーの際にも制御信号を扱う必要がなく、ネットワーク側の指示にしたがって、端末Ａ（２３２１）とユーザーデータ呼の通信を確立することができる。
【００９８】
図２７は、端末が電源を投入してから位置登録するまでの手順を示すシーケンス図である。端末Ａ（２３２１）が電源を投入すると、アクセス方式１の基地局２３０１と、制御信号の通信を行うことを決定する。アクセス方式１の基地局２３０１は、位置情報管理装置２４０１に位置登録要求Ｄ１を通知する。位置情報管理装置２４０１は、位置登録要求Ｄ１の返答として、位置登録応答Ｄ２をアクセス方式１の基地局２３０１および端末Ａ（２３２１）に対して送信する。
【００９９】
図２８は、端末の電源投入時における端末の位置登録手順を示すフローチャートである。図２５に記載した端末Ａ（２３２１）の各部の処理が示されている。はじめに、端末Ａ（２３２１）が電源投入すると（ステップＳ２８０１）、受信レベル監視部２５０６は、各アンテナ２５０１，２５０２，２５０３の受信レベルを測定する（ステップＳ２８０２）。そして、受信レベル監視部２５０６は、受信レベルにより制御信号の受信条件を満たすアクセス方式を選択し、選択した結果を優先リスト記憶部２５０８に記憶された制御信号優先順位と照合する。そして、優先順位の最も高いアクセス方式を制御信号用と決定する（ステップＳ２８０３）。
【０１００】
次に、決定したアクセス方式により制御信号を受信して信号解析を開始する（ステップＳ２８０４）。この後、選ばれた制御信号用の基地局の位置情報を受信し、位置登録要求部２５０７は、位置登録エリアを照合する（ステップＳ２８０５）。そして、位置登録要求部２５０７は、位置登録エリア記憶部２５０９に記憶されている位置登録エリアと同じか否かを判断する（ステップＳ２８０６）。受信した位置情報が位置登録エリア記憶部２５０９に記憶されている位置登録エリアと同じ場合には（ステップＳ２８０６：Ｙｅｓ）、端末が該当するアクセス方式のセルに収容（ｃａｍｐｉｎｇ  ｏｎ）状態となり（ステップＳ２８０９）、位置登録処理を終了する。
【０１０１】
受信した位置情報が位置登録エリア記憶部２５０９に記憶されている位置登録エリアと異なる場合には（ステップＳ２８０６：Ｎｏ）、位置登録エリア要求部２５０７は、位置登録要求を基地局に送信する（ステップＳ２８０７）。この後、ネットワーク（基地局側）からの位置登録応答を受け取り、位置登録エリア記憶部２５０９に記憶されている位置登録エリアを更新する（ステップＳ２８０８）。これにより、端末が該当するアクセス方式のセルに収容（ｃａｍｐｉｎｇ  ｏｎ）状態となり（ステップＳ２８０９）、位置登録処理を終了する。
【０１０２】
上記位置登録処理を具体例を用いて説明する。端末Ａ（２３２１）が電源投入すると、優先リスト記憶部２５０８に記憶されている制御信号優先順位（図２６−１参照）にしたがって、アクセス方式１の基地局２３０１との間で制御信号の通信を行うことが決定される。端末Ａ（２３２１）は、この基地局２３０１の位置情報を受信し、記憶されている位置登録エリアと照合する。受信した位置情報が記憶されている位置登録エリアと同じであればこの基地局２３０１のセルに収容される。一方、記憶されている位置登録エリアと照合した結果、受信した位置情報が記憶されている位置登録エリアと異なるときには、位置登録要求を行い、返答された位置登録応答にしたがって位置登録エリアを新たな位置登録エリアに更新する。
【０１０３】
次に、図２９は、端末の位置登録更新の手順例を示すシーケンス図である。端末Ａ（２３２１）における受信レベルが劣化した場合には、新たに制御信号用のアクセス方式を選択し、位置登録エリア変わったと判断する場合、網側に位置登録エリアの更新を行う。図２３に示した端末Ａ（２３２１）がアクセス方式１の基地局２３０１からアクセス方式３の基地局２３０３のセルに移動し（図２３の矢印Ｍ１）、アクセス方式１の制御信号による受信レベルが劣化したときに制御信号として無線アクセス方式３を選択し、基地局２３０３に位置登録更新する状態を示している。
【０１０４】
端末Ａ（２３２１）がアクセス方式１の基地局２３０１からアクセス方式３の基地局２３０３のセルに移動したため、アクセス方式１の基地局２３０１の受信レベルがある閾値より下回った。端末Ａ（２３２１）は、各無線アクセス方式のアンテナ（２５０１、２５０２、２５０３）からの受信状況から、制御信号の通信を満たすアクセス方式を選択する。優先リスト記憶部２５０８に記憶されている制御信号優先順位にしたがって、アクセス方式３の基地局２３０３による制御信号の通信を行うことを決定する。端末Ａ（２３２１）は、基地局２３０３の位置情報を受信し、記憶されている位置登録エリアと照合し、位置登録エリアが異なると判断し、網側に位置登録を更新するため、位置登録要求Ｄ３を送信する。この位置登録要求Ｄ３は、アクセス方式３の基地局２３０３を介して位置情報管理装置２４０１に送信される。位置情報管理装置２４０１は、この位置登録要求Ｄ３に対応する位置登録応答Ｄ４を送信する。この位置登録応答Ｄ４は、アクセス方式３の基地局２３０３を介して端末Ａ（２３２１）に送信される。
【０１０５】
図３０は、端末の位置登録更新手順を示すフローチャートである。図２５に記載した端末Ａ（２３２１）の各部の処理が示されている。はじめに、端末Ａ（２３２１）は、受信レベル監視部２５０６により各アンテナ２５０１，２５０２，２５０３の受信レベルを測定する（ステップＳ３００１）。ここで、受信レベル監視部２５０６が測定した受信レベルから、受信中のアクセス方式の基地局の制御信号がある閾値を下回ったことを観測すると、新たに制御信号の選択を行う。そして、受信条件を満たすアクセス方式を選択して優先リスト記憶部２５０８に照合し、優先順位の最も高いアクセス方式を制御信号用と決定する（ステップＳ３００２）。
【０１０６】
次に、決定したアクセス方式により制御信号を受信して信号解析を開始または継続（アクセス方式に変更がない場合）する（ステップＳ３００３）。この後、選ばれた制御信号用の基地局の位置情報を受信し、位置登録要求部２５０７は、位置登録エリアを照合する（ステップＳ３００４）。そして、位置登録要求部２５０７は、位置登録エリア記憶部２５０９に記憶されている位置登録エリアと同じか否かを判断する（ステップＳ３００５）。受信した位置情報が位置登録エリア記憶部２５０９に記憶されている位置登録エリアと同じ場合には（ステップＳ３００５：Ｙｅｓ）、位置登録更新を行わずに終了する。
【０１０７】
受信した位置情報が位置登録エリア記憶部２５０９に記憶されている位置登録エリアと異なる場合には（ステップＳ３００５：Ｎｏ）、位置登録エリア要求部２５０７は、位置登録要求を基地局に送信する（ステップＳ３００６）。この後、ネットワーク（基地局側）からの位置登録応答を受け取り、位置登録エリア記憶部２５０９に記憶されている位置登録エリアを更新し（ステップＳ３００７）、位置登録処理を終了する。
【０１０８】
上記位置登録処理を具体例を用いて説明する。端末Ａ（２３２１）がアクセス方式１の基地局２３０１配下からアクセス方式３の基地局２３０３配下に移動したため、アクセス方式１の基地局２３０１からの受信レベルが劣化して所定の閾値を下回った。端末Ａが再び各無線アクセス方式の受信レベルから、制御信号に使用するアクセス方式を選択する。優先リスト記憶部２５０８に記憶されている制御信号優先順位（図２６−１参照）にしたがってアクセス方式を選択する。この場合、制御信号の受信条件を満たすのが優先順位２位のアクセス方式３の基地局しかないため、アクセス方式３の基地局２３０３との間で制御信号の通信を行うことが決定される。端末Ａ（２３２１）は、この基地局２３０３の位置情報を受信し、記憶されている位置登録エリアと照合する。受信した位置情報が記憶されている位置登録エリアと同じであれば位置登録エリアの更新を行わない。一方、記憶されている位置登録エリアと照合した結果、受信した位置情報が記憶されている位置登録エリアと異なるときには、位置登録要求を行い、返答された位置登録応答にしたがって位置登録エリアを新たな位置登録エリアに更新する。
【０１０９】
（端末によるユーザーデータリソース要求時の手順）
次に、Ｃ／Ｕ分離機能を有する端末Ａ（２３２１）がユーザーデータリソース割当要求を送信してからユーザーデータ通信成立までの手順について説明する。図３１は、端末によるユーザーデータリソース要求時の手順を示すシーケンス図である。端末Ａ（２３２１）は、図２３に示すセル２３１２に位置しており、アクセス方式１による制御信号の通信を行っている状態から、ネットワーク側にユーザーデータのリソースを割り当ててもらい、ユーザーデータの通信をはじめようとしている。
【０１１０】
端末Ａ（２３２１）は、リソース割当要求Ｄ３１０１を通知する。リソース割当要求Ｄ３１０１は、Ｃ／Ｕ分離インジケーターと、電波測定レポートと、要求サービスの各情報からなる。このリソース割当要求Ｄ３１０１は、アクセス方式１の基地局２３０１を介してリソース管理装置２４００に出力される。リソース管理装置２４００は、リソース割当要求Ｄ３１０１の内容に基づいて端末Ａ（２３２１）がＣ／Ｕ分離機能を有する端末であると判断する。そして、リソース管理装置２４００は、端末Ａ（２３２１）の電波測定レポート、要求サービスのＱｏＳ特徴、網側のリソース利用状況から総合的に判断し、アクセス方式２の基地局２３０２を選択する（Ｄ３１０２）。
【０１１１】
そして、リソース管理装置２４００は、アクセス方式２の基地局２３０２に対してリソース確保要求Ｄ３１０３を行い、アクセス方式２の基地局２３０２はリソースを確保してリソース管理装置２４００に対しリソース確保応答Ｄ３１０４を通知する。この後、リソース管理装置２４００は、アクセス方式１の基地局２３０１に対してリソース割当通知Ｄ３１０５を通知する。リソース割当通知Ｄ３１０５は、アクセス方式２、セル２３１２、チャネル等の各情報からなる。このリソース割当通知Ｄ３１０５は、アクセス方式１の基地局２３０１から端末Ａ（２３２１）に通知される。
【０１１２】
端末Ａ（２３２１）は、リソース割当通知Ｄ３１０５を受けて、ユーザーデータのチャネル設定を行う（Ｄ３１０６）。これにより、端末Ａ（２３２１）は、アクセス方式２の基地局２３０２を介してＩＰルーター２４０２との間でユーザーデータの通信を開始する（Ｄ３１０７）。このユーザーデータの通信開始と同時、あるいは前後して端末Ａ（２３２１）は、リソース割当通知Ｄ３１０５に対応したリソース割当応答Ｄ３１０８をアクセス方式１の基地局２３０１を介してリソース管理装置２４００に応答する。
【０１１３】
以上のように、端末Ａ（２３２１）がリソース割当要求Ｄ３１０１を通知すると、ネットワーク側がユーザーデータ用のアクセス方式２の基地局２３０２の選定を行い、端末Ａ（２３２１）に通知する。ユーザーデータ呼が成立しても、ユーザーデータ呼に関する位置登録手順は行われない。リソース割り当てに関わる手順は、すべて制御信号を扱うアクセス方式１の基地局２３０１と、端末Ａ（２３２１）との間で通信され、ユーザーデータを扱うアクセス方式２の基地局２３０２は関わらない。
【０１１４】
図３２−１は、リソース割当要求のメッセージ内容を示す図表である。図３１を用いて説明したリソース割当要求Ｄ３１０１の各情報を一覧化した。図示のように、リソース割当要求Ｄ３１０１は、複数の情報子（ＩＥ：Ｉｎｆｏｒｍａｔｉｏｎ  Ｅｌｅｍｅｎｔ）により構成されている。メッセージタイプ（Ｍｅｓｓａｇｅ  Ｔｙｐｅ）と、ＵＥ情報（ＵＥ  ｉｎｆｏｒｍａｔｉｏｎ  Ｅｌｅｍｅｎｔｓ）と、要求サービス情報と、計測情報（Ｍｅａｓｕｒｅｍｅｎｔ  Ｉｎｆｏｒｍａｔｉｏｎ  Ｅｌｅｍｅｎｔｓ）は必須の情報子である。要求サービス情報は、発信するユーザーデータ（呼のサービス情報、配属するトラヒッククラス、ビットレート要求、遅延要求）などのＱｏｓ関連の情報からなる。計測情報は、受信可能なアクセス方式の受信レベル結果報告（電波測定レポート）である。そして、リソース割当要求Ｄ３１０１には、Ｃ／Ｕ分離インジケーターがオプションとして設けられる。このＣ／Ｕ分離インジケーターのＩＥは、Ｃ／Ｕ分離機能を有する端末Ａ（２３２１）において用いることができる。例えば、値が１なら、Ｃ／Ｕ分離機能を有することを示している。
【０１１５】
図３２−２は、リソース割当通知のメッセージ内容を示す図表である。図３１を用いて説明したリソース割当通知Ｄ３１０５の各情報を一覧化した。図示のように、リソース割当通知Ｄ３１０５は、複数の情報子（ＩＥ）により構成されている。メッセージタイプ（Ｍｅｓｓａｇｅ  Ｔｙｐｅ）と、ＵＥ情報（ＵＥ  ｉｎｆｏｒｍａｔｉｏｎ  Ｅｌｅｍｅｎｔｓ）と、割り当てチャネル情報（Ｐｈｙｓｉｃａｌ  ｃｈａｎｎｅｌ  ｉｎｆｏｒｍａｔｉｏｎ  Ｅｌｅｍｅｎｔｓ）は必須の情報子である。割り当てチャネル情報は、ユーザーデータを受信するためのチャネル情報であり、割り当てられたユーザーデータ呼使用チャネルのアクセス方式名、セル番号、チャネルの受信タイミング、周波数、変復調方式などの情報からなる。
【０１１６】
（Ｃ／Ｕ分離機能を有する端末が他のセルに移動したときの手順）
図３３は、Ｃ／Ｕ分離機能を有する端末が他のアクセス方式のセルに移動した状態を示す概要図である。図３３に示す各構成は図２３と同様であるが、移動前後のセルと基地局の符号に添字を附してある。以下の説明では、図示のように、アクセス方式２のセル２３１２ａに配属していた端末Ａ（２３２１）が同じアクセス方式２である異なるセル２３１２ｂの配下に移動したとする（図３３の矢印Ｍ２）。そして、制御信号のリンクはアクセス方式１に配属した状態のまま、ユーザーデータのリンクをアクセス方式２のセル２３１２ａから同じアクセス方式２のセル２３１２ｂに切り替えるハンドオーバーを行う。このハンドオーバーの内容について説明する。
【０１１７】
図３４は、端末が移動したときのハンドオーバーの手順を示すシーケンス図である。端末Ａ（２３２１）は、アクセス方式２の基地局２３０２ａによりユーザーデータ通信中である（Ｄ３４０１）。ここで、アクセス方式２の基地局２３０２ａに配属していた端末Ａ（２３２１）が同じアクセス方式２の基地局２３０２ｂの配下に移動したとき、端末Ａ（２３２１）は、アクセス方式２のセル２３１２ａ内における通信中のユーザーデータ通信チャネルの電波状況が劣化する。そして、受信レベル監視部２５０６（図２５参照）は、この受信レベルが予め設定した閾値を下回ったことを検出する（Ｄ３４０２）。これにより、端末Ａ（２３２１）は、メジャーメント・レポートＤ３４０３を送信する。
【０１１８】
このメジャーメント・レポートＤ３４０３は、Ｃ／Ｕ分離インジケーター、電波測定レポート等の各情報からなり、アクセス方式１の基地局２３０１を介してリソース管理装置２４００に伝えられる。リソース管理装置２４００は、メジャーメント・レポートＤ３４０３に含まれるＣ／Ｕ分離インジケーターに基づいて、端末Ａ（２３２１）がＣ／Ｕ分離機能を有する端末であると判断し、端末の電波測定レポート、通信中のサービスのＱｏＳ特徴、網側のリソース利用状況から総合的に判断し、アクセス方式２の基地局２３０２ｂにハンドオーバーすると判断する（Ｄ３４０４）。これにより、リソース管理装置２４００は、アクセス方式２の基地局２３０２ｂに対してユーザーデータに関するリソース確保要求Ｄ３４０５を通知する。アクセス方式２の基地局２３０２ｂは、リソースを確保できると、リソース管理装置２４００にリソース確保応答Ｄ３４０６を通知する。
【０１１９】
この後、リソース管理装置２４００は、アクセス方式１の基地局２３０１を介して端末Ａ（２３２１）にハンドオーバー応答Ｄ３４０７を送信する。ハンドオーバー応答Ｄ３４０７は、リソースを確保したアクセス方式２と、該当するセル２３０２ｂと、チャネル等の情報からなる。
【０１２０】
端末Ａ（２３２１）は、このハンドオーバー応答Ｄ３４０７を受けてユーザーデータのチャネル設定を行う（Ｄ３４０８）。この後、端末Ａ（２３２１）は、アクセス方式２の基地局２３０２ｂを介してＩＰルーター２４０２との間でユーザーデータの通信を開始する（Ｄ３４０９）。このユーザーデータの通信開始と同時、あるいは前後して端末Ａ（２３２１）は、ハンドオーバー応答Ｄ３４０７に対応したハンドオーバー終了通知Ｄ３４１０を制御信号の確立しているアクセス方式１の基地局２３０１を介してリソース管理装置２４００に通知する。この後、リソース管理装置２４００は、以前のリソースを使用していたアクセス方式２の基地局２３０２ａに対してリソース解放通知Ｄ３４１１を通知する。この基地局２３０２ａは、リソース管理装置２４００に対してリソース解放応答Ｄ３４１２を通知する。
【０１２１】
以上のように、端末Ａ（２３２１）は、ユーザーデータの受信レベルの劣化時に、ネットワーク側にメジャーメント・レポートを通知する。ネットワーク側では、ユーザーデータ用の無線アクセス方式２の基地局２３０２（２３０２ａ，２３０２ｂ）の選定を行い、端末Ａ（２３２１）に通知する。ユーザーデータ呼がハンドオーバーしても、ユーザーデータ呼に関する位置登録手順は行わない。ハンドオーバーに関わる手順は、すべて制御信号を扱うアクセス方式１の基地局２３０１と端末Ａ（２３２１）との間で通信され、ユーザーデータを扱うアクセス方式２の基地局２３０２（２３０２ａ，２３０２ｂ）は関わらない。Ｃ／Ｕ分離機能を有する端末では制御信号、ユーザーデータのハンドオーバーが独立に行われている。以上ユーザーデータのハンドオーバー手順を説明したが、制御信号のハンドオーバー手順は従来のＵＭＴＳにおけるＲＲＣ−ｃｏｎｎｅｃｔｅｄ，ＰＭＭ  ｉｄｌｅ状態の端末のハンドオーバー手順にしたがうため説明を省略する。
【０１２２】
図３５は、メジャーメント・レポートのメッセージ内容を示す図表である。図３４を用いて説明したメジャーメント・レポートＤ３４０３の各情報を一覧化した。図示のように、メジャーメント・レポートＤ３４０３は、複数の情報子（ＩＥ：Ｉｎｆｏｒｍａｔｉｏｎ  Ｅｌｅｍｅｎｔ）により構成されている。メッセージタイプ（Ｍｅｓｓａｇｅ  Ｔｙｐｅ）と、ＵＥ情報（ＵＥ  ｉｎｆｏｒｍａｔｉｏｎ  Ｅｌｅｍｅｎｔｓ）と、計測情報（Ｍｅａｓｕｒｅｍｅｎｔ  Ｉｎｆｏｒｍａｔｉｏｎ  Ｅｌｅｍｅｎｔｓ）は必須の情報子である。計測情報は、受信可能なアクセス方式の受信レベル結果報告（電波測定レポート）である。そして、メジャーメント・レポートＤ３４０３には、Ｃ／Ｕ分離インジケーターがオプションとして設けられる。このＣ／Ｕ分離インジケーターのＩＥは、Ｃ／Ｕ分離機能を有する端末Ａ（２３２１）において用いることができる。例えば、値が１なら、Ｃ／Ｕ分離機能を有することを示している。
【０１２３】
図３６は、ハンドオーバー応答のメッセージ内容を示す図表である。図３４を用いて説明したハンドオーバー応答Ｄ３４０７の各情報を一覧化した。図示のように、ハンドオーバー応答Ｄ３４０７は、複数の情報子（ＩＥ）により構成されている。メッセージタイプ（Ｍｅｓｓａｇｅ  Ｔｙｐｅ）と、ＵＥ情報（ＵＥ  ｉｎｆｏｒｍａｔｉｏｎ  Ｅｌｅｍｅｎｔｓ）と、割り当てチャネル情報（Ｐｈｙｓｉｃａｌ  ｃｈａｎｎｅｌ  ｉｎｆｏｒｍａｔｉｏｎ  Ｅｌｅｍｅｎｔｓ）は必須の情報子である。割り当てチャネル情報は、ユーザーデータを受信するためのチャネル情報であり、割り当てられたユーザーデータ呼使用チャネルのアクセス方式名、セル番号、チャネルの受信タイミング、周波数、変復調方式などの情報からなる。
【０１２４】
（Ｃ／Ｕ分離機能を有する端末に対する着信時の手順）
図３７は、ネットワーク側から端末に対する着信時の手順を示すシーケンス図である。図２３の概要図を用いて説明する。ネットワーク側はＩＰルーター２４０２からリソース管理装置２４００に対して着信要求Ｄ３７０１を行い、該当する端末Ａ（２３２１）に対してページングを行う。着信要求Ｄ３７０１は、端末Ａ（２３２１）のＩＤ、着信呼要求サービス等の各情報を含む。
【０１２５】
ページングを受けた端末Ａ（２３２１）は、ページング応答Ｄ３７０２を通知する。ページング応答Ｄ３７０２は、Ｃ／Ｕ分離インジケーター、電波測定レポート等の各情報からなる。このページング応答Ｄ３７０２は、アクセス方式１の基地局２３０１を介してリソース管理装置２４００に出力される。リソース管理装置２４００は、ページング応答Ｄ３７０２の内容に基づいて端末Ａ（２３２１）がＣ／Ｕ分離機能を有する端末であると判断し、端末の電波測定レポート、着信呼のＱｏＳ特徴から、網側のリソース利用状況から総合的に判断し、着信呼のユーザーデータ伝送に適するアクセス方式２の基地局２３０２がよいと判断する（Ｄ３７０３）。そして、リソース管理装置２４００は、アクセス方式２の基地局２３０２に対してリソース確保要求Ｄ３７０４を通知する。対応してアクセス方式２の基地局２３０２は、リソース確保応答Ｄ３７０５を通知する。この後、リソース管理装置２４００は、アクセス方式１の基地局２３０１に対してリソース割当通知Ｄ３７０６を通知する。リソース割当通知Ｄ３７０６は、アクセス方式２、セル２３１２、チャネル等の各情報からなる（図３２−２参照）。このリソース割当通知Ｄ３７０６は、アクセス方式１の基地局２３０１から端末Ａ（２３２１）に通知される。
【０１２６】
端末Ａ（２３２１）は、リソース割当通知Ｄ３７０６を受けて、ユーザーデータのチャネル設定を行う（Ｄ３７０７）。これにより、端末Ａ（２３２１）は、アクセス方式２の基地局２３０２を介してＩＰルーター２４０２との間でユーザーデータの通信を開始する（Ｄ３７０８）。このユーザーデータの通信開始と同時、あるいは前後して端末Ａ（２３２１）は、リソース割当通知Ｄ３７０６に対応したリソース割当応答Ｄ３７０９をリソース管理装置２４００に応答する。
【０１２７】
以上のように、位置情報管理装置２４０１には、端末Ａ（２３２１）が制御信号に所属する位置登録エリアであり、ページングはこの登録された制御信号の位置登録エリアに対して行われる。端末Ａ（２３２１）は、ページングに対してページング応答し、ネットワーク側では、着信のユーザーデータ呼用の無線アクセス方式２の基地局２３０２の選定を行い、端末Ａ（２３２１）に知らせる。ここで、ユーザーデータ呼が成立しても、ユーザーデータ呼に関する位置登録手順は行われない。着信に関わる手順は、すべて制御信号を扱うアクセス方式１の基地局２３０１と、端末Ａ（２３２１）との間で通信され、ユーザーデータを扱うアクセス方式２の基地局２３０２は関わらない。
【０１２８】
図３８は、ページング応答のメッセージ内容を示す図表である。図３７を用いて説明したページング応答Ｄ３７０２の各情報を一覧化した。図示のように、ページング応答Ｄ３７０２は、複数の情報子（ＩＥ）により構成されている。メッセージタイプ（Ｍｅｓｓａｇｅ  Ｔｙｐｅ）と、ＵＥ情報（ＵＥ  ｉｎｆｏｒｍａｔｉｏｎ  Ｅｌｅｍｅｎｔｓ）と、計測情報（Ｍｅａｓｕｒｅｍｅｎｔ  Ｉｎｆｏｒｍａｔｉｏｎ  Ｅｌｅｍｅｎｔｓ）は必須の情報子である。計測情報は、受信可能なアクセス方式の受信レベル結果報告（電波測定レポート）である。そして、ページング応答Ｄ３７０２には、Ｃ／Ｕ分離インジケーターがオプションとして設けられる。このＣ／Ｕ分離インジケーターのＩＥは、Ｃ／Ｕ分離機能を有する端末Ａ（２３２１）において用いることができる。例えば、値が１なら、Ｃ／Ｕ分離機能を有することを示している。
【０１２９】
以上説明した構成によれば、Ｃ／Ｕ分離機能を有する端末は、制御信号の無線アクセス方式の優先順位と、ユーザーデータの優先順位とを独立して有する。したがって、制御信号を扱わない無線アクセス方式を制御信号の優先順位に記憶しなければ、ユーザーデータ専用の無線アクセス方式（基地局）が制御信号の無線アクセス先として選択されることがない。また、端末は、制御信号の属する位置登録エリアのみネットワーク側に登録することができるため、ユーザーデータを専用に扱う無線アクセス方式（基地局）は、位置登録やページングなどの制御信号を扱わずに済む。
【０１３０】
現状では、位置登録に関して制御信号とユーザーデータが同じ位置登録エリアに属し、これら制御信号とユーザーデータが共通した位置登録エリアとしてネットワークに登録されている。そして、端末に着信呼が来ると、位置登録されているエリア内で端末にページングをかけるが、着信呼に使われる無線アクセス方式の基地局が必ずページングの行われている位置登録エリアに属し、ページングに使われている無線アクセス方式でなければならない制約がある。現状の基地局は、制御信号と、ユーザーデータの両方を扱う能力をもつ必要があり、すべての基地局では制御信号と、ユーザーデータを同時に扱っている。しかし、今後増えるユーザーデータの伝送に適する基地局は、高速な伝送レートの無線アクセス方式が用いられており、このような無線アクセス方式は大体カバーエリアが狭く、ホットスポット的に存在し、連続した電波のカバーエリアをもたないといった特徴をもつため、制御信号の処理に使用したとしても端末は頻繁に圏外になったり、ハンドオーバーが生じるため、制御信号の使用には適していない。また、ユーザーデータ伝送用の基地局が制御信号を扱うために、処理が複雑になり、基地局自身の小型化、低コスト化が難しくなる。
【０１３１】
以上説明した実施の形態２によれば、端末の発着信や、ハンドオーバー時にユーザーデータ呼の選択に関わる制御信号、例えば、リソース割当要求や、ページング応答、メジャーメント・レポートなどの送受信は、すべて制御信号用の無線アクセス方式を用い、制御信号用の無線アクセス方式の基地局と端末間で送受信できる。また、ユーザーデータ専用の無線アクセス方式の基地局は、端末の発着信や、ハンドオーバーの際にも制御信号を扱う必要がなく、ネットワーク側の指示にしたがって、端末とユーザーデータ呼の通信を確立できるようになる。このように、ユーザーデータのみを扱う基地局を設置することができ、この基地局は、端末との間で制御信号の処理を行う必要がないため、基地局の低コスト化を図ることができ、ユーザーデータのみを扱う基地局の普及を推進できるようになる。なお、実施の形態２では、ネットワーク側は、無線端末Ａ（２３２１）からＣ／Ｕ分離機能を有する情報の通知を受けて、Ｃ／Ｕ分離能力の有無を判断する構成としたが、これに限らず、他の手段により無線端末が有するＣ／Ｕ分離能力を検出する構成にもできる。例えば、ネットワーク側では、無線端末の種別毎に予めＣ／Ｕ分離機能の有無を記憶しておく構成にもできる。
【０１３２】
今後、通信事業者が提供するサービスは、映画配信などより広帯域なサービス品質を要求するものが増えてくると予想される。実施の形態１の構成によれば、従来のサービス提供を維持しながら、複数の無線アクセス方式（Ｗ−ＣＤＭＡとＷＬＡＮ、Ｂｌｕｅｔｏｏｔｈ等）をサポートしつつ提供できる。そして、端末の位置および必要な伝送速度に適した無線アクセス方式を割り当てることができ、端末を保有するユーザーの利便性の向上と、ネットワーク側における最適処理による処理の効率化を図ることができるようになる。
【０１３３】
さらに、今後、移動通信インフラとして、ユーザーデータと伝送のネットワークのみを所有し、サービスを提供する移動通信事業者にとっても有効利用でき、利便性を有する。すなわち、実施の形態２の構成によれば、ユーザーが発信、着信、ハンドオーバー等の通信制御を必要とする際、ユーザーデータの通信を行う基地局は、端末との間で制御信号と、ユーザーデータとを互いに独立して異なる無線アクセス方式により通信を行い、かつ、制御信号と、ユーザーデータとを異なる位置登録エリアに配属させることができる。このような基地局は、通信制御の制御信号に対して積極的に介在する必要がなくなる。このため、ユーザーデータのみを扱う基地局を含む通信ネットワークシステムが構築可能になる。
【０１３４】
なお、本実施の形態で説明した無線リソースを管理する方法は、予め用意されたプログラムをパーソナル・コンピュータやワークステーション等のコンピュータで実行すること
により実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【０１３５】
（付記１）制御信号（Ｃ）と、ユーザーデータ（Ｕ）とを異なる無線アクセス方式を用いて通信できるＣ／Ｕ分離機能を有し、当該Ｃ／Ｕ分離機能を有する情報を記憶する記憶手段と、
前記記憶手段に記憶された前記Ｃ／Ｕ分離機能を有する情報をネットワークに対して送信する制御を行う制御手段と、
を備えることを特徴とする無線端末装置。
【０１３６】
（付記２）前記制御手段は、
前記ネットワークに対して前記ユーザーデータの伝送のためのリソース割当要求と、ハンドオーバー時のメジャーメント・レポートと、着信時のページング応答とをそれぞれ送信する際に、前記記憶手段から読み出した前記Ｃ／Ｕ分離機能を有する情報を併せて送信することを特徴とする付記１に記載の無線端末装置。
【０１３７】
（付記３）前記ユーザーデータの送受信を行う送信／受信手段を備え、
前記制御手段は、前記ネットワークに対して前記ユーザーデータの伝送のためのリソース割当要求を送信した後に、当該リソース割当要求に対応して前記ネットワークから返答されたリソース割当通知が示す無線アクセス方式を検出し、前記送信／受信手段に対して当該無線アクセス方式にしたがった送信／受信設定を行うことを特徴とする付記２に記載の無線端末装置。
【０１３８】
（付記４）前記ユーザーデータの送受信を行う送信／受信手段と、
前記ネットワーク内における現在の配属セルの受信レベルを監視する受信レベル監視手段とを備え、
前記制御手段は、前記受信レベル監視手段によって監視された受信レベルが低下したとき、前記ネットワークに対して前記受信レベルを含むメジャーメント・レポートを送信した後に、当該メジャーメント・レポートに対応して前記ネットワークから返答されたハンドオーバー応答が示す無線アクセス方式を検出し、前記送信／受信手段に対して当該無線アクセス方式にしたがった送信／受信設定を行うことを特徴とする付記２に記載の無線端末装置。
【０１３９】
（付記５）前記ユーザーデータの送受信を行う送信／受信手段を備え、
前記制御手段は、着信時に前記ネットワークに対して前記ページング応答を送信した後に、当該ページング応答に対応して前記ネットワークから返答されたリソース割当通知が示す無線アクセス方式を検出し、前記送信／受信手段に対して当該無線アクセス方式にしたがった送信／受信設定を行うことを特徴とする付記２に記載の無線端末装置。
【０１４０】
（付記６）前記制御信号の通信に用いる無線アクセス方式の優先順位の情報を記憶する優先順位記憶手段を備え、
前記制御手段は、前記優先順位記憶手段に記憶された前記制御信号の優先順位の情報に基づいて、前記ネットワークとの間の前記制御信号の通信を制御することを特徴とする付記１〜５のいずれか一つに記載の無線端末装置。
【０１４１】
（付記７）前記制御信号と、前記ユーザーデータの通信に用いるそれぞれの無線アクセス方式の優先順位の情報を記憶する優先順位記憶手段を備え、
前記制御手段は、前記優先順位記憶手段に記憶された前記制御信号の優先順位の情報と、前記ユーザーデータの優先順位の情報に基づいて、前記ネットワークとの間の前記制御信号の通信と、前記ユーザーデータの通信とを個別に制御することを特徴とする付記１〜５のいずれか一つに記載の無線端末装置。
【０１４２】
（付記８）前記制御手段は、前記ネットワーク内における現在の配属セルの受信レベルが低下したとき、前記優先順位記憶手段に記憶された前記制御信号の優先順位の情報を参照して、新たな無線アクセス方式による通信を選択することを特徴とする付記６または７に記載の無線端末装置。
【０１４３】
（付記９）前記優先順位記憶手段は、前記ユーザーデータによる通信を扱う無線アクセス方式の以外の情報を前記制御信号の優先順位として記憶することを特徴とする付記６または７に記載の無線端末装置。
【０１４４】
（付記１０）前記制御信号を通信する無線アクセス方式の基地局の位置エリアを前記ネットワークに位置登録要求する位置登録要求手段を備えることを特徴とする付記１〜９のいずれか一つに記載の無線端末装置。
【０１４５】
（付記１１）前記位置登録要求手段は、前記ユーザーデータの通信に用いる無線アクセス方式以外の基地局の位置エリアに関する位置登録要求を行うことを特徴とする付記１０に記載の無線端末装置。
【０１４６】
（付記１２）制御信号（Ｃ）と、ユーザーデータ（Ｕ）とを異なる無線アクセス方式を用いて通信できるＣ／Ｕ分離機能を有し、制御信号の通信に所属する位置登録エリアをネットワーク側に登録要求する位置登録要求手段を備えたことを特徴とする無線端末装置。
【０１４７】
（付記１３）制御信号（Ｃ）と、ユーザーデータ（Ｕ）とを異なる無線アクセス方式を用いて通信できるＣ／Ｕ分離機能を有し、制御信号の通信に所属する位置登録エリアをネットワーク側に登録要求する位置登録要求手段を備えた無線端末と、
前記無線端末に対する着信時に、前記無線端末が所属している制御信号の位置登録エリアに対するページングを行い、前記ユーザーデータの通信に使用する無線アクセス方式を、前記無線端末から送信されたページング応答および着信呼のＱｏＳ情報に基づいて選択して前記無線端末に通知する管理手段と、
を備えたことを特徴とする無線通信システム。
【０１４８】
（付記１４）収容した無線端末装置から、制御信号（Ｃ）と、ユーザーデータ（Ｕ）とを異なる無線アクセス方式を用いて通信できるＣ／Ｕ分離機能の情報を受信したときに、当該Ｃ／Ｕ分離機能の情報に基づき、前記無線端末装置との間において前記ユーザーデータを通信可能な無線アクセス方式のうち最適な無線アクセス方式を選択する管理手段を備えたことを特徴とする無線ネットワーク網。
【０１４９】
（付記１５）収容した無線端末装置から、ユーザーデータの伝送のためのリソース割当要求と、ハンドオーバー時のメジャーメント・レポートと、無線端末装置に対する着信時のページング応答とを受信するごとに、前記無線端末装置との間において前記ユーザーデータを通信可能な無線アクセス方式のうち最適な無線アクセス方式を選択する管理手段を備えたことを特徴とする無線ネットワーク網。
【０１５０】
（付記１６）前記管理手段は、
前記無線端末装置との間の前記制御信号の通信に用いる無線アクセス方式の基地局を、前記ユーザーデータの通信に用いる無線アクセス方式の基地局と分離して選択することを特徴とする付記１５に記載の無線ネットワーク網。
【０１５１】
（付記１７）複数の無線アクセス方式を用いて、収容した無線端末装置に対するリソースの割り当てを管理する無線リソース管理装置において、
前記無線端末装置から、制御信号（Ｃ）と、ユーザーデータ（Ｕ）とを異なる無線アクセス方式を用いて通信できるＣ／Ｕ分離機能の情報を受信したときに、前記無線端末装置のＣ／Ｕ分離機能を判断する判断手段と、
前記判断手段によって前記無線端末装置がＣ／Ｕ分離機能を有すると判断したとき、当該無線端末装置との間において前記ユーザーデータを通信可能な無線アクセス方式のうち最適な無線アクセス方式を選択する無線アクセス方式選択手段と、
前記無線アクセス方式選択手段によって選択された無線アクセス方式に該当し、前記無線端末装置との間の通信を行うための基地局のリソースを確保するリソース確保手段と、
を備えることを特徴とする無線リソース管理装置。
【０１５２】
（付記１８）前記無線アクセス方式選択手段は、
前記無線端末装置から前記ユーザーデータの伝送のためのリソース割当要求と、ハンドオーバー時のメジャーメント・レポートと、前記無線端末装置に対する着信時のページング応答とを受信するごとに、前記無線端末装置との間において前記ユーザーデータを通信可能な無線アクセス方式のうち最適な無線アクセス方式を選択する付記１７に記載の無線リソース管理装置。
【０１５３】
（付記１９）前記無線アクセス方式選択手段は、
前記無線端末装置との間の前記制御信号の通信に用いる無線アクセス方式の基地局を、前記ユーザーデータの通信に用いる無線アクセス方式の基地局と分離して選択することを特徴とする付記１７に記載の無線リソース管理装置。
【０１５４】
（付記２０）複数の無線アクセス方式を用いて、収容した無線端末装置に対するリソースの割り当てを管理する無線リソース管理装置において、
第１のリソース管理装置は、前記無線端末装置との間で制御信号（Ｃ）に関する通信のリソースを管理し、
第２のリソース管理装置は、前記無線端末装置との間でユーザーデータ（Ｕ）に関する通信のリソースを管理することを特徴とする無線リソース管理装置。
【０１５５】
（付記２１）前記第１のリソース管理装置が管理する基地局のセル内に、前記第２のリソース管理装置が管理する基地局を複数配置したことを特徴とする付記２０に記載の無線リソース管理装置。
【０１５６】
（付記２２）前記第２のリソース管理装置の数は、前記基地局数にそれぞれ対応する同一数で設けたことを特徴とする付記２１に記載の無線リソース管理装置。
【０１５７】
（付記２３）前記第２のリソース管理装置、および前記基地局は、それぞれ異なる無線アクセス方式に対応して複数設けたことを特徴とする付記２０〜２２のいずれか一つに記載の無線リソース管理装置。
【０１５８】
（付記２４）前記第１のリソース管理装置が管理する前記無線端末装置の制御信号（Ｃ）に関するリソースと、前記第２のリソース管理装置が管理する前記無線端末装置のユーザーデータ（Ｕ）に関するリソースとを集中管理する第３のリソース管理装置を設けたことを特徴とする付記２０〜２３のいずれか一つに記載の無線リソース管理装置。
【０１５９】
（付記２５）前記第３のリソース管理装置による集中管理の機能を、前記第１のリソース管理装置、あるいは第２のリソース管理装置がもつことを特徴とする付記２４に記載の無線リソース管理装置。
【０１６０】
（付記２６）制御信号（Ｃ）と、ユーザーデータ（Ｕ）とを異なる無線アクセス方式を用いて通信できるＣ／Ｕ分離機能を有し、当該Ｃ／Ｕ分離機能の情報をネットワークに対して送信可能な無線端末装置と、
前記無線端末装置との間で制御信号、あるいはユーザーデータによる無線通信を行う複数の基地局と、
前記複数の基地局に接続され、前記無線端末装置が送信する制御信号と、ユーザーデータとを異なる無線アクセス方式を用いて通信できるＣ／Ｕ分離機能の情報を受信したときに、当該Ｃ／Ｕ分離機能の情報に基づき、前記無線端末装置との間において前記ユーザーデータを通信可能な無線アクセス方式のうち最適な無線アクセス方式と、当該無線アクセス方式の基地局を選択するリソース管理装置と、
を備えることを特徴とする無線リソース管理システム。
【０１６１】
（付記２７）無線端末装置から制御信号（Ｃ）と、ユーザーデータ（Ｕ）とを異なる無線アクセス方式を用いて通信できるＣ／Ｕ分離機能の情報をネットワークに対して送信するＣ／Ｕ分離機能情報送信工程と、
前記無線端末装置と前記ネットワークとの間で前記制御信号、あるいはユーザーデータによる無線通信を行う信号送受信工程と、
前記無線端末装置から送信された要求あるいは応答に前記制御信号と、ユーザーデータとを異なる無線アクセス方式を用いて通信できるＣ／Ｕ分離機能の情報を受信した前記ネットワークが、当該Ｃ／Ｕ分離機能の情報に基づき、前記無線端末装置との間において前記ユーザーデータを通信可能な無線アクセス方式のうち最適な無線アクセス方式を選択するリソース管理工程と、
を含むことを特徴とする無線リソース管理方法。
【０１６２】
（付記２８）前記制御信号の通信に用いる無線アクセス方式の優先順位の情報を記憶する優先順位記憶工程を含み、
前記信号送受信工程は、
前記優先順位記憶工程に記憶された前記制御信号の優先順位の情報に基づいて、前記ネットワークとの間の前記制御信号の無線通信を行うことを特徴とする付記２７に記載の無線リソース管理方法。
【０１６３】
（付記２９）前記リソース管理工程は、前記無線端末装置から前記ユーザーデータの伝送のためのリソース割当要求と、ハンドオーバー時のメジャーメント・レポートと、無線端末装置に対する着信時のページング応答とを受信するごとに、前記無線端末装置との間において前記ユーザーデータを通信可能な無線アクセス方式のうち最適な無線アクセス方式を選択することを特徴とする付記２７または２８に記載の無線リソース管理方法。
【産業上の利用可能性】
【０１６４】
以上のように、この発明にかかる無線端末装置、無線通信システム、無線ネットワーク網、無線リソース管理装置、無線リソース管理システムおよび無線リソース管理方法は、制御信号と、ユーザーデータとが同一の無線アクセス方式である既存の無線端末装置を収容しているネットワーク内に新たにＣ／Ｕ分離機能を有する無線端末装置を収容することができ、特に、既存のサービス提供を維持しながら、より高い伝送速度を必要とする新規サービスの提供とリソースの有効利用に適している。
【図面の簡単な説明】
【０１６５】
【図１】この発明の実施の形態１による無線アクセス管理システムを示す概要図である。
【図２】実施の形態１による無線アクセス管理システムにおけるネットワーク側のシステムを示すブロック図である。
【図３】リソース管理装置の内部構成を示すブロック図である。
【図４】リソース集中管理装置の内部構成を示すブロック図である。
【図５】Ｃ／Ｕ分離機能を有する端末の内部構成を示すブロック図である。
【図６】端末によるユーザーデータリソース要求時の手順を示すシーケンス図である。
【図７】リソース割当要求のメッセージ内容を示す図表である。
【図８】ユーザーデータのリソース割当要求時の端末の処理手順を示すフローチャートである。
【図９】端末によるユーザーデータのリソース割当要求時におけるリソース管理装置の処理手順を示すフローチャートである。
【図１０】端末によるユーザーデータのリソース割当要求時におけるリソース集中管理装置の処理手順を示すフローチャートである。
【図１１】端末によるユーザーデータのリソース割当要求時における他のリソース管理装置の処理手順を示すフローチャートである。
【図１２】Ｃ／Ｕ分離機能を有する端末が他のアクセス方式のセルに移動した状態を示す概要図である。
【図１３】端末が移動したときのハンドオーバーの手順を示すシーケンス図である。
【図１４】メジャーメント・レポートのメッセージ内容を示す図表である。
【図１５】ハンドオーバー時の端末の処理手順を示すフローチャートである。
【図１６】ハンドオーバー時のリソース管理装置の処理手順を示すフローチャートである。
【図１７】ハンドオーバー時のリソース集中管理装置の処理手順を示すフローチャートである。
【図１８】ハンドオーバー時における他のリソース管理装置処理手順を示すフローチャートである。
【図１９】ネットワーク側から端末に対する着信時の手順を示すシーケンス図である。
【図２０】ページング応答のメッセージ内容を示す図表である。
【図２１】着信時における端末の処理手順を示すフローチャートである。
【図２２】端末への着信時におけるリソース管理装置の処理手順を示すフローチャートである。
【図２３】この発明の実施の形態２による無線アクセス管理システムを示す概要図である。
【図２４】実施の形態２による無線アクセス管理システムのネットワーク側のシステムを示すブロック図である。
【図２５】Ｃ／Ｕ分離機能を有する端末の内部構成を示すブロック図である。
【図２６−１】優先リスト記憶部に記憶される制御信号優先順位の内容を示す図表である。
【図２６−２】優先リスト記憶部に記憶されるユーザーデータ優先順位の内容を示す図表である。
【図２７】端末が電源を投入してから位置登録するまでの手順を示すシーケンス図である。
【図２８】端末の電源投入時における位置登録手順を示すフローチャートである。
【図２９】端末の位置登録更新の手順例を示すシーケンス図である。
【図３０】端末の位置登録更新手順を示すフローチャートである。
【図３１】端末によるユーザーデータリソース要求時の手順を示すシーケンス図である。
【図３２−１】リソース割当要求のメッセージ内容を示す図表である。
【図３２−２】リソース割当通知のメッセージ内容を示す図表である。
【図３３】Ｃ／Ｕ分離機能を有する端末が他のアクセス方式のセルに移動した状態を示す概要図である。
【図３４】端末が移動したときのハンドオーバーの手順を示すシーケンス図である。
【図３５】メジャーメント・レポートのメッセージ内容を示す図表である。
【図３６】ハンドオーバー応答のメッセージ内容を示す図表である。
【図３７】ネットワーク側から端末に対する着信時の手順を示すシーケンス図である。
【図３８】ページング応答のメッセージ内容を示す図表である。
【符号の説明】
【０１６６】
１０１，１０２，１０３，１０４，２３０１，２３０２，２３０３  基地局
１１１，１１２，１１３，１１４  セル
１２１，１２２，１２３，２３２１  端末
２０１，２０２，２０３，２４００  リソース管理装置
２１０  リソース集中管理装置
３０３，４０４，５０４，２５０４  送信／受信部
３０４，４０５，５０５，２５０５  信号解析部
３０５，４０６  リソース割当部
３０６，４０７  リソース利用状況記憶部
５０１，５０２，５０３，２５０１，２５０２，２５０３  アンテナ
５０６，２５０６  受信レベル監視部
５０７  ユーザーデータリソース要求部
５０９  Ｃ／Ｕ分離インジケーター記憶部
ａ，ｂ，ｃ，１，２，３  アクセス方式
２４０１  位置情報管理装置
２４０２  ＩＰルーター
２５０７  位置登録要求部
２５０８  優先リスト記憶部
２５０９  位置登録エリア記憶部
【図１】
2005210668.tif 000003
【図２】
2005210668.tif 000004
【図３】
2005210668.tif 000005
【図４】
2005210668.tif 000006
【図５】
2005210668.tif 000007
【図６】
2005210668.tif 000008
【図７】
2005210668.tif 000009
【図８】
2005210668.tif 000010
【図９】
2005210668.tif 000011
【図１０】
2005210668.tif 000012
【図１１】
2005210668.tif 000013
【図１２】
2005210668.tif 000014
【図１３】
2005210668.tif 000015
【図１４】
2005210668.tif 000016
【図１５】
2005210668.tif 000017
【図１６】
2005210668.tif 000018
【図１７】
2005210668.tif 000019
【図１８】
2005210668.tif 000020
【図１９】
2005210668.tif 000021
【図２０】
2005210668.tif 000022
【図２１】
2005210668.tif 000023
【図２２】
2005210668.tif 000024
【図２３】
2005210668.tif 000025
【図２４】
2005210668.tif 000026
【図２５】
2005210668.tif 000027
【図２６−１】
2005210668.tif 000028
【図２６−２】
2005210668.tif 000029
【図２７】
2005210668.tif 000030
【図２８】
2005210668.tif 000031
【図２９】
2005210668.tif 000032
【図３０】
2005210668.tif 000033
【図３１】
2005210668.tif 000034
【図３２−１】
2005210668.tif 000035
【図３２−２】
2005210668.tif 000036
【図３３】
2005210668.tif 000037
【図３４】
2005210668.tif 000038
【図３５】
2005210668.tif 000039
【図３６】
2005210668.tif 000040
【図３７】
2005210668.tif 000041
【図３８】
2005210668.tif 000042